(57)【要約】本発明は、ＰｏＣ通話に参加するユーザが所望のタイミングで発話することができる電話端末、サーバ、およびその電話端末とそのサーバとから成る通話システムを提供することを目的とする。  本発明の通話システムは、携帯電話Ａ１０ａが、サーバ２０により発言権を付与されていない期間中に、サーバ２０に音データを送信し、サーバ２０が、発言権を付与されていない携帯電話からの音データを記憶する記憶部を備え、携帯電話Ｂ１０ｂが発言権を放棄した後に、携帯電話Ｂ１０ｂに対して、前記記憶部から読み出した音データを送信する、ものである。【特許請求の範囲】
【請求項１】
複数の電話端末間の通話を管理するサーバであって、
前記電話端末のうちのいずれか１つに発言権を付与する発言権管理部と、
前記電話端末から音データを受信するサーバ受信部と、
前記サーバ受信部で受信した音データのうち、前記発言権管理部により発言権を付与していない電話端末からの音データを記憶する記憶部と、
前記電話端末に対して、前記サーバ受信部で受信した音データ又は前記記憶部に記憶された音データを送信するサーバ送信部とを備え、
前記サーバ送信部は、前記発言権管理部が前記電話端末のいずれかに発言権を付与しているときは、当該電話端末から受信した音データを前記発言権を付与していない電話端末に対して送信し、前記電話端末のいずれにも発言権を付与していないときは、前記記憶部に記憶した音データを前記電話端末に対して送信する、
サーバ。
【請求項２】
請求項１記載のサーバであって、
前記サーバ送信部は、前記電話端末のいずれにも発言権を付与していないときは、前記記憶部に記憶した音データを当該音データを送信した電話端末を除く前記電話端末に対して送信する、
サーバ。
【請求項３】
請求項２記載のサーバであって、
前記記憶部は、前記発言権管理部により発言権を付与していない電話端末からの音データを、当該電話端末を識別する識別情報と対応付けて記憶し、
前記サーバ送信部は、前記発言権管理部が前記電話端末のいずれにも発言権を付与していないとき、前記記憶部から前記識別情報を記憶順に読み出し、当該識別情報により特定される電話端末を除く前記電話端末に対して、当該識別情報に対応して記憶された音データを送信する、
サーバ。
【請求項４】
請求項１から３のいずれか１項に記載のサーバであって、
前記サーバ送信部は、前記記憶部に記憶された音データを送信終了した時点から所定の時間経過後であって、前記発言権管理部が前記電話端末のいずれにも発言権を付与していないとき、前記記憶部に記憶された音データを送信する、
サーバ。
【請求項５】
請求項１から４のいずれか１項に記載のサーバであって、
前記記憶部は、前記サーバ受信部により受信した音データを所定の数記憶するサーバ。
【請求項６】
発言権の付与を行うサーバを利用した通話を行う電話端末であって、
前記サーバから発言権の取得を行う発言権取得部と、
前記サーバに対して音データを送信する電話端末送信部と、
前記発言権を取得していない間、前記サーバから音データを受信する電話端末受信部と、を備え、
前記電話端末送信部は、前記発言権を取得している間は、第１の操作にしたがって前記サーバに音データを送信し、前記発言権を取得していない間は、第２の操作にしたがって前記サーバに音データを送信する、
電話端末。
【請求項７】
請求項１から５のいずれか１項に記載のサーバと、請求項６記載の電話端末と、を含んで構成される通話システム。
【請求項８】
複数の電話端末のうちのいずれか１つに発言権を付与できるサーバを使用する通話方法であって、
前記電話端末から音データを受信する音データ受信ステップと、
前記音データ受信ステップで受信した音データのうち、前記発言権を付与していない電話端末からの音データを記憶する音データ記憶ステップと、
前記電話端末のいずれかに発言権を付与しているとき、当該電話端末から受信した音データを前記発言権を付与していない電話端末に対して送信し、前記電話端末のいずれにも発言権を付与していないとき、前記音データ記憶ステップで記憶した音データを前記電話端末に対して送信する音データ送信ステップと、
を有する通話方法。
【発明の詳細な説明】
【技術分野】
【０００１】  本発明は、話者が音声を交互にやり取りする機能であるＰｏＣ（Ｐｕｓｈ−ｔｏ−Ｔａｌｋ  ｏｖｅｒ  Ｃｅｌｌｕｌａｒ）を利用して通話を行う電話端末、そのＰｏＣ通話に利用されるサーバ、および、その電話端末とそのサーバにより構成される通話システムに関するものである。
【背景技術】
【０００２】  トランシーバや業務用無線機のように、その端末に備わる発話用ボタンを押下している間に発話し、発話用ボタンを解放しているときには他の話者からの発話内容を音声出力することにより、複数の話者の間で音声を交互にやり取りする機能（ＰＴＴ：Ｐｕｓｈ−ｔｏ−Ｔａｌｋ）を備えた端末が、現在広く利用されている。このＰＴＴ機能を利用した端末は、２者の間による通話を基本とする電話回線を利用した端末とは異なり、３者以上の間での通話をも容易に実現することができるため、複数人と同時にコミュニケーションを取る場合に用いられることが多い。【０００３】  このＰＴＴ機能を携帯電話で実現するものがＰｏＣ（Ｐｕｓｈ−ｔｏ−Ｔａｌｋ  ｏｖｅｒ  Ｃｅｌｌｕｌａｒ）と呼ばれる技術である。ＰｏＣ機能を利用した携帯電話は、例えば電話帳から通話相手を選び、上述のトランシーバや業務用無線機と同様に携帯電話に備わる専用のボタンを押下・解放することにより、ＰｏＣ通話を行うことができる。ＰｏＣ機能を利用した携帯電話は、電話回線を利用した端末が通話開始時に行うダイヤル処理を必要としないため、通話を開始するまでにかかる時間を短縮することができる。以下、ＰｏＣ機能を利用した携帯電話（以下、単に携帯電話と称する）とそのＰｏＣ通話に利用されるサーバ（以下、単にサーバと称する）との処理について、具体的に説明する。【０００４】  図１６に、従来の携帯電話とサーバとにより構成されるシステムにおけるシーケンスの１例を示す。図１６では、ユーザＡが所有する携帯電話ＡとユーザＢが所有する携帯電話Ｂとの間でＰｏＣ通話を行う場合を想定している。【０００５】  携帯電話−サーバ間のＰｏＣ通話処理において最も重要な概念は、特定の携帯電話による発話を許可する権限（発言権と称する）をサーバが管理し、サーバからその発言権を付与された携帯電話が通話による発話を行うことができるということである。これを図１６を参照して説明すると、まず、ユーザＢがユーザＡに対してＰｏＣ通話を開始する操作（例えば、電話帳から通話相手であるユーザＡを選び、専用のボタンを押下する）を携帯電話Ｂにより行うと、携帯電話Ｂは、サーバに対して発言権を付与することを要求する（ステップＳ１６０１）。サーバは、携帯電話Ａと携帯電話Ｂの間でＰｏＣ通話を開始することを携帯電話Ｂから通知されると、携帯電話Ｂに発言権を付与するための信号を送信し（ステップＳ１６０２）、「発言権付与済」という発言権のステータスを記憶する。携帯電話Ｂがサーバから発言権を取得すると、ユーザＢは発話を開始し、専用のボタンを押下している間（ステップＳ１６０２以後の点線で囲まれた期間）は発話を続けることができる。【０００６】  一方、携帯電話ＢからＰｏＣ通話開始を受け付けた携帯電話Ａは、ユーザＢに対して発話行う操作（専用のボタンを押下する）をユーザＡから受け付けると、サーバに対して発言権を付与することを要求する（ステップＳ１６０３、Ｓ１６０５）。このとき、サーバは、発言権のステータスが「発言権付与済」である期間中に、携帯電話Ａから発言権を付与するよう要求されると、発言権を付与できないことを通知するための信号を携帯電話Ａに送信する（ステップＳ１６０４、Ｓ１６���６）。その結果、携帯電話Ａがサーバから発言権を取得することに失敗している間（携帯電話Ｂに発言権を付与している期間）は、ユーザＡは専用のボタンを押下しても発話を行うことができないことになる。その後、携帯電話Ａは、携帯電話Ｂが発言権を放棄した後（ステップＳ１６０７）、サーバに対して発言権を付与することを要求すると（ステップＳ１６０８）、携帯電話Ａに発言権を付与されることになる（ステップＳ１６０９）。【０００７】  さらに、図１７に、従来の携帯電話とサーバとにより構成されるシステムにおけるシーケンスの他の例を示す。図１７では、４人のユーザＡ、Ｂ、Ｃが各々所有する携帯電話Ａ、Ｂ、Ｃの間でＰｏＣ通話を行う場合を想定している。【０００８】  まず、ユーザＢがユーザＡ、Ｃに対してＰｏＣ通話を開始する操作（例えば、電話帳から通話相手であるユーザＡ、Ｃを選び、専用のボタンを押下する）を携帯電話Ｂにより行う。以後、ユーザＢが発話を開始するまでの携帯電話Ｂとサーバの処理は、図１６の説明における携帯電話Ｂとサーバの処理と同一である。【０００９】  ユーザＢによる発話終了後、ユーザＢがＰｏＣ通話による発話を終了する操作（専用のボタンを解放する）を携帯電話Ｂにより行うと、携帯電話Ｂは、サーバに対して発言権を放棄することを通知する（ステップＳ１７０１）。サーバは、携帯電話Ｂから発言権を放棄することを通知されると、「発言権付与済」を「発言権未付与」という発言権のステータスに更新する。【００１０】  その後、ユーザＣがユーザＡ、Ｂに対してＰｏＣ通話を開始する操作（専用のボタンを押下する）を携帯電話Ｃにより行い、携帯電話Ｃがサーバに対して発言権を付与することを要求すると（ステップＳ１７０２）、サーバは、現在発言権のステータスが「発言権未付与」であることから、携帯電話Ｃに発言権を付与するための信号を送信し（ステップＳ１７０３）、「発言権付与済」という発言権のステータスに更新する。【００１１】  以後、サーバは、下記の３つの処理を繰り返すことになる。
（１）発言権のステータスが「発言権付与済」である期間中に、別の携帯電話から発言権を付与するよう要求されると、発言権を付与できないことを通知するための信号を別の携帯電話に送信する。
（２）特定の携帯電話から発言権を放棄することを通知されると（ステップＳ１７０１、４、７）、「発言権付与済」を「発言権未付与」という発言権のステータスに更新する。
（３）発言権のステータスが「発言権未付与」である期間中に、携帯電話から発言権を付与することを要求されると（ステップＳ１７０２、５）、その携帯電話に発言権を付与するための信号を送信し（ステップＳ１７０３、６）、発言権のステータスを「発言権付与済」に更新する。
【非特許文献１】Ｐｕｓｈ−ｔｏ−Ｔａｌｋ  ｏｖｅｒ  Ｃｅｌｌｕｌａｒ（ＰｏＣ）−Ａｒｃｈｉｔｅｃｔｕｒｅ−２．０．８、第６頁
【発明の開示】
【発明が解決しようとする課題】
【００１２】  上述の携帯電話では、発言権を付与されている期間しか発話することができず、したがって、携帯電話ユーザは、所望のタイミングで発話することが必ずしもできなかった。このような状況は、１つのＰｏＣ通話に参加するユーザ数が増えるほどに顕著になってしまう。【００１３】  本発明は、上記事情に鑑みてなされたもので、ＰｏＣ通話に参加するユーザが所望のタイミングで発話することができる電話端末、サーバ、およびその電話端末とそのサーバとから成る通話システムを提供することを目的とする。
【課題を解決するための手段】
【００１４】  本発明のサーバは、複数の電話端末間の通話を管理するサーバであって、前記電話端末のうちのいずれか１つに発言権を付与する発言権管理部と、前記電話端末から音データを受信するサーバ受信部と、前記サーバ受信部で受信した音データのうち、前記発言権管理部により発言権を付与していない電話端末からの音データを記憶する記憶部と、前記電話端末に対して、前記サーバ受信部で受信した音データ又は前記記憶部に記憶された音データを送信するサーバ送信部とを備え、前記サーバ送信部が、前記発言権管理部が前記電話端末のいずれかに発言権を付与しているときは、当該電話端末から受信した音データを前記発言権を付与していない電話端末に対して送信し、前記電話端末のいずれにも発言権を付与していないときは、前記記憶部に記憶した音データを前記電話端末に対して送信する、ものである。【００１５】  本発明の電話端末は、発言権の付与を行うサーバを利用した通話を行う電話端末であって、前記サーバから発言権の取得を行う発言権取得部と、前記サーバに対して音データを送信する電話端末送信部と、前記発言権を取得していない間、前記サーバから音データを受信する電話端末受信部と、を備え、前記電話端末送信部が、前記発言権を取得している間は、第１の操作にしたがって前記サーバに音データを送信し、前記発言権を取得していない間は、第２の操作にしたがって前記サーバに音データを送信する、ものである。【００１６】  本発明の通話システムは、本発明のサーバと、本発明の電話端末と、を含んで構成されるものである。【００１７】  本発明の通話方法は、複数の電話端末のうちのいずれか１つに発言権を付与できるサーバを使用する通話方法であって、前記電話端末から音データを受信する音データ受信ステップと、前記音データ受信ステップで受信した音データのうち、前記発言権を付与していない電話端末からの音データを記憶する音データ記憶ステップと、前記電話端末のいずれかに発言権を付与しているとき、当該電話端末から受信した音データを前記発言権を付与していない電話端末に対して送信し、前記電話端末のいずれにも発言権を付与していないとき、前記音データ記憶ステップで記憶した音データを前記電話端末に対して送信する音データ送信ステップと、を有するものである。【００１８】  この構成によれば、ＰｏＣ通話に参加するユーザが所望のタイミングで発話することができる。【００１９】  また、本発明のサーバは、前記サーバ送信部が、前記電話端末のいずれにも発言権を付与していないときは、前記記憶部に記憶した音データを当該音データを送信した電話端末を除く前記電話端末に対して送信する、ものである。【００２０】  この構成によれば、音データを送信していない電話端末に録音した音データを送信するため、音データを送信した電話端末が当該端末ユーザの音声が録音された音データを受信することが無くなる。元々、あるユーザが発した音声をユーザ自身で聞く必要性は低いため、電話端末による音データの受信を効率的に行うことができる。【００２１】  また、本発明のサーバは、前記記憶部が、前記発言権管理部により発言権を付与していない電話端末からの音データを、当該電話端末を識別する識別��報と対応付けて記憶し、前記サーバ送信部が、前記発言権管理部が前記電話端末のいずれにも発言権を付与していないとき、前記記憶部から前記識別情報を記憶順に読み出し、当該識別情報により特定される電話端末を除く前記電話端末に対して、当該識別情報に対応して記憶された音データを送信する、ものを含む。【００２２】  この構成によれば、あるユーザが発話内容を複数回録音した場合や、複数のユーザがそれぞれ発話内容を録音した場合であっても、サーバは、発話内容を録音した順に、発話内容を録音したユーザが利用する携帯電話以外の携帯電話に対して、その発話内容を送信することができる。【００２３】  また、本発明のサーバは、前記サーバ送信部が、前記記憶部に記憶された音データを送信終了した時点から所定の時間経過後であって、前記発言権管理部が前記電話端末のいずれにも発言権を付与していないとき、前記記憶部に記憶された音データを送信する、ものを含む。【００２４】  この構成によれば、ある１件の発話内容の送信後に、発言権を付与した携帯電話からの発話内容を発言権を付与していない携帯電話に直接送信する処理を優先することができる。このため、例えば、サーバがある携帯電話による発話終了後に、録音した複数の発話内容を送信する場合に、複数の発話内容の送信が延々と続くことによって、急を要する発話内容の送信が行われるまでに時間がかかることを防止することができる。【００２５】  また、本発明のサーバは、前記記憶部が、前記サーバ受信部により受信した音データを所定の数記憶する、ものを含む。【００２６】  この構成によれば、録音可能な発話内容の数を制限することにより、録音した複数の発話内容を送信する場合に、複数の発話内容の送信が延々と続くことを防止することができる。
【発明の効果】
【００２７】  本発明の電話端末、サーバ、その電話端末とそのサーバとから成る通話システム、および通話方法によれば、ＰｏＣ通話に参加するユーザが所望のタイミングで発話することができる。
【図面の簡単な説明】
【００２８】
【図１】本発明の実施の形態の通話システムの概念図
【図２】本発明の実施の形態の通話システムにおけるシーケンスの概要
【図３】本発明の第１実施形態の通話システムにおける携帯電話の外観図（ａ）とディスプレイの表示例（ｂ）
【図４】本発明の第１実施形態の通話システムにおける携帯電話の構成図
【図５】本発明の第１実施形態の通話システムにおけるサーバの構成図
【図６】制御信号のデータ形式
【図７】本発明の第１実施形態の通話システムにおけるサーバのフローチャート
【図８】本発明の第２実施形態の通話システムにおけるシーケンスの概要
【図９】本発明の第２実施形態の通話システムにおけるサーバのフローチャート
【図１０】本発明の第３実施形態の通話システムにおけるシーケンスの概要の１例
【図１１】本発明の第３実施形態の通話システムにおけるシーケンスの概要の他例
【図１２】本発明の第３実施形態の通話システムにおける携帯電話の構成図
【図１３】制御信号のデータ形式の他の例
【図１４】本発明の第３実施形態の通話システムにおけるサーバのフローチャート
【図１５】本発明の第３実施形態の通話システムにおけるシーケンスの概要の別例
【図１６】従来の携帯電話とサーバとにより構成されるシステムにおけるシーケンスの１例
【図１７】従来の携帯電話とサーバとにより構成されるシステムにおけるシーケンスの他の例
【符号の説明】
【００２９】１０ａ、１０ｂ  携帯電話
２０  サーバ
３１  ＰＴＴ１キー
３２  ＰＴＴ２キー
３３  ディスプレイ
３４  ユーザのステータス
３５  発言権のステータス
４１  無線部
４２  マイク
４３  スピーカ
４４  状態管理部
４５  画面表示部
４６  操作キー
４７  アンテナ
４８、１２０１  制御部
５１  発言権管理情報受信部
５２  発言権管理情報送信部
５３  発言権ステータス記憶バッファ
５４  発言権管理部
５５  音声データ受信部
５６  音声データ送信部
５７  ＰｏＣ通話管理部
５８  受信メッセージ蓄積部
５９  メッセージ蓄積バッファ
６０  蓄積メッセージ取得部
６１  メッセージ管理部
【発明を実施するための最良の形態】
【００３０】  本発明の実施の形態の通話システムについて、その処理の概要を図面を参照して説明する。図１に、本発明の実施の形態の通話システムの概念図、図２に、本発明の実施の形態の通話システムにおけるシーケンスの概要、をそれぞれ示す。本発明の実施の形態の通話システムの概要を説明するために、図１に示す通話システムは、ユーザＡが所有する携帯電話Ａ１０ａとユーザＢが所有する携帯電話Ｂ１０ｂとの間でＰｏＣ通話を行う場合について記述している。【００３１】  図２に示すシーケンスに沿って、本発明の実施の形態の通話システムの処理概要を説明する。
まず、ユーザＢがユーザＡに対してＰｏＣ通話を開始する操作（例えば、電話帳から通話相手であるユーザＡを選び、専用のボタンを押下する）を携帯電話Ｂ１０ｂにより行うと、携帯電話Ｂ１０ｂは、サーバ２０に対して発言権を付与することを要求する（ステップＳ２１）。サーバ２０は、携帯電話Ａ１０ａと携帯電話Ｂ１０ｂの間でＰｏＣ通話を開始することを携帯電話Ｂから通知されると、現在の発言権のステータスを判定する（ステップＳ２２）。このときＰｏＣ通話を行う携帯電話Ａ、Ｂに発言権を付与していないステータス「発言権未付与」であることから、携帯電話Ｂ１０ｂに発言権を付与するための信号を送信し（ステップＳ２３）、「発言権付与済」という発言権のステータスに更新する。携帯電話Ｂ１０ｂがサーバ２０から発言権の取得に成功すると、ユーザＢは発話を開始し、専用のボタンを押下している間は発話を続けることができる（この処理は、図１における「１．ユーザＡに発話中」に対応する）。なお、図２では、ユーザＢは、携帯電話Ｂ１０ｂに発言権を付与された後の、点線で囲まれた期間、発話し続けるものとする。【００３２】  一方、携帯電話Ｂ１０ｂからＰｏＣ通話開始を受け付けた携帯電話Ａ１０ａは、ユーザＢに対して発話を行う操作（専用のボタンを押下する）をユーザＡから受け付けると、サーバ２０に対して発言権を付与することを要求する（ステップＳ２４）。このときも、サーバ２０は、現在の発言権のステータスを判定する（ステップＳ２５）。サーバ２０は、発言権のステータスが「発言権付与済」である期間中に、携帯電話Ａ１０ａから発言権を付与するよう要求されると、発言権を付与できないことを通知するための信号を携帯電話Ａ１０ａに送信する（ステップＳ２６）。その結果、携帯電話Ａ１０ａは、サーバ２０から発言権を取得することに失敗する。携帯電話Ａ１０ａは、発言権を付与できないことを通知されると、ユーザＢが発言権を放棄した後に再生するための発話内容をユーザＡから受け付け、その発話内容の音声をサーバに送信する（ステップＳ２７からステップＳ２８にかけての点線で囲まれた期間、ユーザＡは発話し続けるものとする。この処理は、図１における「２．音声メッセージを送信」に対応する）。すなわち、携帯電話Ａ１０ａは、発言権が付与されるか否かによって、ＰｏＣ通話のための発話を行うかあるいは携帯電話Ｂの発言権放棄後に再生するための発話を行うかを切り替えている。なお、携帯電話Ｂ１０ｂもまた、携帯電話Ａ１０ａと同様の切り替えを行っており、ステップＳ２３では発言権が付与された結果、ＰｏＣ通話を開始したことになる。【００３３】  携帯電話Ａ１０ａから音声を受信したサーバ２０は、その音声を録音（音声メッセージを作成）する（ステップＳ２９この処理は、図１における「３．音声メッセージを録音」に対応する）。【００３４】  ユーザＢによる発話終了後、ユーザＢがＰｏＣ通話による発話を終了する操作（専用のボタンを解放する）を携帯電話Ｂ１０ｂにより行うと、携帯電話Ｂ１０ｂは、サーバ２０に対して発言権を放棄することを通知する（ステップＳ３０）。サーバ２０は、携帯電話Ｂ１０ｂから発言権を放棄することを通知されると、「発言権付与済」を「発言権未付与」という発言権のステータスに更新する。サーバ２０は、さらに、発言権のステータスが「発言権未付与」で、かつ、録音した音声メッセージを保有している場合、録音した音声メッセージを携帯電話Ｂ１０ｂに送信する（ステップＳ３１）。携帯電話Ｂ１０ｂは、サーバ２０から受信した音声メッセージを再生することになる（この処理は、図１における「４．ユーザＢの発話終了後、録音した音声メッセージを再生」に対応する。以後、発言権を付与されたユーザによる発言権の放棄後、発言権を付与されていなかったユーザにより録音されていた音声メッセージを再生する処理のことを「後再生処理」と称し、録音された音声メッセージのことを「後再生用メッセージ」と称する）。【００３５】  本発明の実施の形態の通話システムによれば、発言権が携帯電話に付与されていても、いなくても、携帯電話ユーザは発話することができるため、すなわち、自携帯電話に発言権が付与されている期間は、発言権が付与されていない他携帯電話に対して発話し、自携帯電話に発言権が付与されていない期間は、一旦、発話内容をサーバに録音させておき、発言権を付与された携帯電話がその発言権を放棄した後に、録音しておいた発話内容を他携帯電話に対して再生するため、ＰｏＣ通話に参加するユーザが所望のタイミングで発話することができる。また、後再生用メッセージの再生中は、その発話内容をサーバに録音させた携帯電話に発言権を付与しているとみなすことができるため、従来のサーバにおける発言権の管理方法と矛盾が生じることもない。以下、本発明の実施の形態の通話システムを構成する携帯電話およびサーバについて、その構成と処理内容をより詳細に説明する。【００３６】  （第１実施形態）
図３に、本発明の第１実施形態の通話システムにおける携帯電話の外観図、図４に、本発明の第１実施形態の通話システムにおける携帯電話の構成図、図５に、本発明の第１実施形態の通話システムにおけるサーバの構成図、をそれぞれ示す。【００３７】  本発明の携帯電話の外観例としては、図３（ａ）に示すように、２種類のＰＴＴ（ＰＴＴ：Ｐｕｓｈ−ｔｏ−Ｔａｌｋ）キー３１、３２とディスプレイ３３を備えたものが挙げられる。操作キーのうちの１つであるＰＴＴ１キー３１は、項目［背景技術］で述べた、押下・解放によりＰｏＣ通話を行うための専用のボタンに該当する。一方、もう１つのＰＴＴ２キー３２は、本項目で述べる、後再生処理における発話内容を録音するために使用するものである。ＰＴＴ２キー３２の操作例は後述する。【００３８】  また、図３（ｂ）には、本発明の携帯電話のディスプレイ３３にＰｏＣ通話中に表示する表示例を示している。この２つの表示例は、ユーザＡ、Ｂ、Ｃ、Ｄから構成される第１グループ内でＰｏＣ通話を行う場合のものであり、ユーザＡ、ＢはこのＰｏＣ通話に参加しており、一方、ユーザＣ、ＤはこのＰｏＣ通話に参加していないことが、ユーザのステータス３４により確認することができる。また、２つの表示例のうちの左側は図１におけるユーザＢが利用している携帯電話のディスプレイ３３の表示例、右側は図１におけるユーザＡが利用している携帯電話のディスプレイ３３の表示例、をそれぞれ示しており、ユーザＢが発言中であること、ユーザＢの発言中であるため現時点でユーザＡが発言権を取得できないこと、をそれぞれ発言権のステータス３５により確認することができる。携帯電話ユーザは、ＰｏＣ通話を行う際、図３（ｂ）のように表示したディスプレイ３３を見て、ＰｏＣ通話へのユーザの参加状況や、そのユーザに付与されている発言権のステータスを確認しながら、ＰＴＴ１キー３１、ＰＴＴ２キー３２を押下・解放してＰｏＣ通話を行う。【００３９】  本発明の携帯電話は、図４に示すように、アンテナ４７を含む無線部４１、マイク４２、スピーカ４３、状態管理部４４、画面表示部４５、ＰＴＴ１キー３１およびＰＴＴ２キー３２を含む操作キー４６、制御部４８とを含んで構成される。【００４０】  無線部４１は、サーバと無線通信を行い、少なくとも、ＰｏＣ通話または後再生処理を実行するための制御信号、ＰｏＣ通話用音声データまたは後再生用メッセージなどの音データを送受信する。上記の制御信号のデータ形式を、図６に示す。この制御信号は、Ｖ（制御信号のデータ形式のバージョン番号）、Ｐ（パディングの有無）、Ｓｕｂｔｙｐｅ（制御信号種別）、ＰＴ（パケットタイプ）、Ｌｅｎｇｔｈ（パケットのサイズ）、ＳＳＲＣ（パケット発信者情報）、Ｎａｍｅ（ＰｏＣ１の固定値）、Ａｐｐｌｉｃａｔｉｏｎ−ｄｅｐｅｎｄｅｎｔ  ｄａｔａ（Ｓｕｂｔｙｐｅで指定する種別毎に用途が異なるフィールド）から構成される。特に、制御信号は、Ｓｕｂｔｙｐｅに割り当てられた数値によりその制御信号の種別（発言権取得要求通知、発言権取得成功通知、発言権取得失敗通知、発言権放棄通知、発言権未付与通知、発言権付与済通知などに、それぞれ０、１、２、３、４、５の数値が割り当てられる��が区別される。【００４１】  マイク４２は、当該携帯電話ユーザの発話を収音し、それをデジタル信号に変換して制御部４８に出力する。スピーカ４３は、制御部４８から入力する音データをアナログ信号に変換して出力する。状態管理部４４は、制御部４８から入力する制御信号に基づいて、自携帯電話に発言権が付与されているか否か、現在の発話がＰｏＣ通話中であること、または現在の発話が後再生用メッセージの作成のためのものであること、などを画面表示部４５に表示させたり、ＰＴＴ１キー３１およびＰＴＴ２キー３２による入力操作を受け付けて、マイク４２により収音した音声をＰｏＣ通話処理または後再生処理のいずれかで行う指示を制御部４８に出力する。制御部４８は、下記の処理を行う。【００４２】  （Ａ１）制御部４８は、ＰＴＴ１キー３１の押下を受け付けた状態管理部４４から、ＰｏＣ通話を行う指示を受け付けると、サーバに対して発言権を付与するよう要求する発言権取得要求通知を送信するよう無線部４１を制御する。
（Ａ２）制御部４８は、発言権を付与したことを通知するための発言権取得成功通知を無線部４１により受信すると、ＰｏＣ通話処理を開始する。このとき、制御部４８は、携帯電話ユーザによる図３のＰＴＴ１キー３１の押下・解放に応じて、ＰｏＣ通話における発話・受話の処理を切り替える。
（Ａ３）制御部４８は、（Ａ１）の後、発言権を付与できないことを通知するための発言権取得失敗通知を無線部４１により受信すると、自携帯電話に発言権が付与されないことを画面表示部４５に表示するよう状態管理部４４を制御する。さらに、ＰＴＴ２キー３２の押下により、後再生メッセージの録音開始する処理を受け付けたことを状態管理部４４から通知されると、ＰＴＴ２キー３２が押下されている期間に入力される音声データを無線部４１により送信するよう制御する。【００４３】  なお、本発明の携帯電話に、近年の携帯電話が有する各種機能を設けることもでき、特に、ＰｏＣ機能に加えて電話機能を付加する構成としても構わない。【００４４】  本発明のサーバ２０は、図５に示すように、発言権管理情報受信部５１、発言権管理情報送信部５２、発言権ステータス記憶バッファ５３、発言権管理部５４、音声データ受信部５５、音声データ送信部５６、ＰｏＣ通話管理部５７、受信メッセージ蓄積部５８、メッセージ蓄積バッファ５９、蓄積メッセージ取得部６０、メッセージ管理部６１、とを含んで構成される。なお、図５では、発言権管理情報受信部５１、発言権管理情報送信部５２、発言権管理部５４、発言権ステータス記憶バッファ５３は携帯電話に付与するあるいは携帯電話から放棄される発言権について管理を行うため、これらをまとめて発言権処理部とし、受信メッセージ蓄積部５８、メッセージ蓄積バッファ５９、蓄積メッセージ取得部６０、メッセージ管理部６１は携帯電話から受信するあるいは携帯電話に送信する後再生用メッセージに関する処理を行うため、これらをまとめてメッセージ処理部として、まとめている。【００４５】  発言権管理情報受信部５１は、本発明の携帯電話と無線通信を行い、ＰｏＣ通話または後再生処理を実行するための制御信号を受信する。発言権管理情報送信部５２は、本発明の携帯電話と無線通信を行い、ＰｏＣ通話または後再生処理を実行するための制御信号を送信する。発言権ステータス記憶バッファ５３は、「発言権付与済」や「発言権未付与」という発言権のステータスを記憶する。発言権管理部５４は、下記の４つの処理を繰り返す。【００４６】  （Ｂ１）発言権管理部５４は、発言権ステータス記憶バッファ５３に記憶されている発言権のステータスが「発言権未付与」である期間中に、携帯電話から発言権を付与するよう要求する発言権取得要求通知を発言権管理情報受信部５１により受信すると、その携帯電話に発言権を付与したことを通知するための発言権取得成功通知を送信するよう発言権管理情報送信部５２を制御し、発言権のステータスを「発言権付与済」に更新するよう発言権ステータス記憶バッファ５３を制御する。さらに、ＰｏＣ通話管理部５７に、当該携帯電話に発言権を付与したことを通知する。
（Ｂ２）発言権管理部５４は、発言権ステータス記憶バッファ５３に記憶されている発言権のステータスが「発言権付与済」である期間中に、別の携帯電話（制御信号のＳＳＲＣにより、発言権を付与した携帯電話と、発言権を付与していない別の携帯電話と、を識別できる）から発言権を付与するよう要求する発言権取得要求通知を発言権管理情報受信部５１により受信すると、発言権を付与できないことを通知するための発言権取得失敗通知を当該別の携帯電話に送信するよう発言権管理情報送信部５２を制御する。さらに、当該別の携帯電話から受信する音声データを後再生用メッセージとして録音する指示をメッセージ管理部６１に通知する。
（Ｂ３）発言権管理部５４は、発言権を付与していた携帯電話から発言権を放棄することを通知する発言権放棄通知を発言権管理情報受信部５１により受信すると、発言権を付与している携帯電話が無いことを通知するための発言権未付与通知をメッセージ管理部６１に通知する。（Ｂ２）において別の携帯電話からの後再生用メッセージを録音する指示をメッセージ管理部６１に通知していれば、当該別の携帯電話に発言権を付与することを通知する発言権取得成功通知をメッセージ管理部６１に通知する。
（Ｂ４）発言権管理部５４は、メッセージ管理部６１が後再生用メッセージを再生した後、（Ｂ３）において発言権を付与した携帯電話から発言権を放棄することを通知する発言権放棄通知をメッセージ管理部６１から受け付けると、発言権ステータス記憶バッファ５３に記憶されている発言権のステータスを「発言権未付与」に更新する。【００４７】  また、音声データ受信部５５は、本発明の携帯電話から、ＰｏＣ通話用音声データまたは後再生用メッセージの音データを受信する。音声データ送信部５６は、音声データ受信部５５により受信したＰｏＣ通話用音声データまたは後再生用メッセージの音データを、別の携帯電話に送信する。なお、音声データ送信部５６は、ＰｏＣ通話中には、音声データ受信部５５により受信した音声データを直接、別の携帯電話に送信する。【００４８】  ＰｏＣ通話管理部５７は、発言権管理部５４から特定の携帯電話に発言権を付与したことを通知されると、その携帯電話からのＰｏＣ通話用音声データを音声データ受信部５５に受信させ、ＰｏＣ通話を行うよう制御する。【００４９】  また、受信メッセージ蓄積部５８は、音声データ受信部５５により受信した音声データを後再生用メッセージとしてメッセージ蓄積バッファ５９に記憶させる。メッセージ蓄積バッファ５９は、後再生用メッセージを記憶する。蓄積メッセージ取得部６０は、メッセージ蓄積バッファ５９から後再生用メッセージを読み出し、音声データ送信部５６に送信させる。メッセージ管理部６１は、ＰｏＣ通話中に下記の３つの処理を繰り返す。【００５０】  （Ｃ１）メッセージ管理部６１は、ＰｏＣ通話中に、発言権を付与されていない携帯電話から受信する音声データを後再生用メッセージとして録音する指示を発言権管理部５４から受け付けると、当該携帯電話から音声データ受信部５５により受信する音声データと、当該携帯電話を識別する識別情報と、対応付けて記憶するよう受信メッセージ蓄積部５８を制御する。
（Ｃ２）メッセージ管理部６１は、発言権を付与している携帯電話が無いことを通知するための発言権未付与通知を通知発言権管理部５４から通知されると、前述の識別情報により識別される携帯電話に発言権を付与することを要求する発言権取得要求通知を発言権管理部５４に通知する。当該携帯電話に発言権を付与したことを通知する発言権取得成功通知を発言権管理部５４から受け付けると、メッセージ蓄積バッファ５９から読み出した後再生用メッセージを、当該携帯電話以外の携帯電話に対して、音声データ送信部５６に送信させるよう蓄積メッセージ取得部６０を制御する。
（Ｃ３）メッセージ管理部６１は、後再生用メッセージを送信したことを蓄積メッセージ取得部６０から通知されると、（Ｃ２）において発言権を付与した携帯電話から発言権を放棄することを通知する発言権放棄通知を発言権管理部５４に通知する。【００５１】  次に、本発明の第１実施形態の通話システム全体の処理の流れを、図７に示す本発明の第１実施形態の通話システムにおけるサーバのフローチャートを参照して説明する。【００５２】  携帯電話Ｂ１０ｂは、携帯電話ＢユーザからＰｏＣ通話を行う指示を受け付けると、サーバ２０に対して発言権を付与するよう要求する発言権取得要求通知を送信する（Ａ１の処理に該当）。一方、サーバ２０は、携帯電話Ｂ１０ｂからその発言権取得要求通知を受信すると（ステップＳ７０１、Ｙｅｓ）、発言権のステータスが「発言権未付与」であるため（ステップＳ７０２、Ｎｏ）、その携帯電話Ｂ１０ｂに発言権を付与するための発言権取得成功通知を送信し（ステップＳ７０３）、発言権のステータスを「発言権付与済」に更新する（Ｂ１の処理に該当）。サーバ２０は、その発言権取得成功通知を送信すると、ＰｏＣ通話処理を開始する（ステップＳ７０４）。その後、サーバ２０は、携帯電話Ｂ１０ｂのユーザが図３のＰＴＴ１キー３１の押下している間、携帯電話Ｂ１０ｂのユーザの発話を携帯電話Ａ１０ａに送信し続け、携帯電話Ｂ１０ｂのユーザがＰＴＴ１キー３１を解放すると、携帯電話Ｂ１０ｂから発言権放棄通知を受信することになる（ステップＳ７０６。Ａ２の処理に該当）。また、サーバ２０は、携帯電話Ｂ１０ｂのユーザの発話を携帯電話Ａ１０ａに送信している間も（ステップＳ７０５、Ｎｏ）、携帯電話Ａユーザからの発言権取得要求通知を受信する（ステップＳ７０１）。【００５３】  一方、サーバ２０は、携帯電話Ｂ１０ｂに発言権を付与している期間に（ステップＳ７０２、Ｙｅｓ）、携帯電話Ａ１０ａから発言権取得要求通知を受信すると、発言権を付与できないことを通知するための発言権取得失敗通知を送信する（ステップＳ７０７）。その後、サーバ２０は、後再生用メッセージを携帯電話Ａ１０ａから受信すると（ステップＳ７０８、Ｙｅｓ。Ａ３、Ｂ２の処理に該当）、後再生用メッセージを録音する（ステップＳ７０９。Ｃ１の処理に該当）。【００５４】  その後、サーバ２０は、携帯電話Ｂ１０ｂから発言権放棄通知を受信すると（ステップＳ７１０）、録音処理を行った携帯電話Ａ１０ａに発言権を付与し（ステップＳ７１２。ここで、携帯電話Ａ１０ａに対して発言権取得成功通知を送信して実際に発言権を付与しても良いし、実際には携帯電話Ａ１０ａに発言権を付与せずに、サーバ２０内のみで携帯電話Ａ１０ａに発言権を付与したとみなす仮想的な処理を行うようにしてもよい）、後再生用メッセージを録音した携帯電話以外の携帯電話に対して、当該後再生用メッセージを送信する（ステップＳ７１３。Ｂ３、Ｃ２の処理に該当）。【００５５】  サーバ２０は、後再生用メッセージを送信し終えると、携帯電話Ａ１０ａに付与した発言権を放棄し（ステップＳ７１４）、発言権のステータスを「発言権未付与」に更新する（Ｂ４、Ｃ３の処理に該当）。なお、ユーザＡが、後再生用メッセージを複数��音している場合も考えられるが、そのときは、ステップＳ７１４の処理後、後再生用メッセージの有無を判別し（ステップＳ７１１）、有れば（ステップＳ７１１、Ｙｅｓ）、ステップＳ７１２〜７１４の処理を繰り返すようにしても良い。なお、ステップＳ７１２〜７１４の処理を繰り返す際には、録音した後再生用メッセージのうちの古いものから、順次処理を行うことが好ましい。【００５６】  以上、本発明の第１実施形態の通話システムによれば、発言権が携帯電話に付与されていても、いなくても、携帯電話ユーザは発話することができるため、すなわち、自携帯電話に発言権が付与されている期間は、発言権が付与されていない他携帯電話に対して発話し、自携帯電話に発言権が付与されていない期間は、一旦、発話内容をサーバに録音させておき、発言権を付与された携帯電話がその発言権を放棄した後に、録音しておいた発話内容を他携帯電話に対して再生するため、ＰｏＣ通話に参加するユーザが所望のタイミングで発話することができる。【００５７】  また、本発明の第１実施形態の通話システムは、図２に示すように、ＰｏＣ通話による発話のために発言権の取得を要求した携帯電話１０ａが、発言権の取得に失敗した後、後再生用メッセージをサーバ２０に送信するものである。つまり、サーバ２０は、従来のＰｏＣ通話処理の制御信号として用いていた発言権取得成功通知および発言権取得失敗通知を判別条件として利用することにより、発言権の取得に成功した携帯電話から送信される音声データをＰｏＣ通話による発話のための音声データとして、発言権の取得に失敗した携帯電話から送信される音声データを後再生用メッセージを録音するための音声データとして特定している。このため、本発明の第１実施形態の通話システムを、従来のＰｏＣ通話に用いていた制御信号をそのまま利用して実現することができるので、携帯電話の機能およびサーバの機能の追加・変更を抑えることができる。【００５８】  なお、本発明の第１実施形態の通話システムでは、後再生用メッセージを録音した携帯電話以外の携帯電話に対して、当該後再生用メッセージを送信する（ステップＳ７１３。Ｂ３、Ｃ２の処理に該当）と述べたが、後再生用メッセージを録音した携帯電話にも当該後再生用メッセージを送信しても良い。これにより、後再生用メッセージを録音し終えたユーザがまだセッション参加中（ＰｏＣ通話中）にある場合、録音した後再生用メッセージが他の携帯電話に送信されたタイミングを把握することができる。【００５９】  （第２実施形態）
第１実施形態では、ＰｏＣ通話を行うユーザが２人の場合について説明したが、一度のＰｏＣ通話に参加するユーザの人数が増えた場合でも、図８の本発明の第２実施形態の通話システムにおけるシーケンスの概要に示すように、発言権を付与されなかった各携帯電話毎（携帯電話Ａ、Ｂ毎に、発言権取得要求および発言権取得失敗をステップＳ２４、Ｓ８１およびステップＳ２６、Ｓ８２の処理で行っている）に後再生用メッセージを録音し（ステップＳ２７からステップＳ２８にかけての点線で囲まれた期間、ステップＳ８３からステップＳ８４にかけての点線で囲まれた期間、それぞれの音声を録音）、発言権を付与された携帯電話がその発言権を放棄後（ステップＳ３０）、録音したそれぞれの後再生用メッセージを再生することにより（ステップＳ８５）、後再生処理を行うことができる。が、後再生用メッセージを録音することができる条件を設けることにより、あるいは、ＰｏＣ通話による発話を行う携帯電話と録音した後再生用メッセージを再生する携帯電話とに発言権を適切に付与して発話することにより、ＰｏＣ通話をさらに円滑に行うことも可能である。第２実施形態では、ＰｏＣ通話に参加するユーザの数が増えた場合にでも、ＰｏＣ通話処理と後再生処理とをさらに円滑に行うことができる通話システムについて説明する。なお、第１実施形態と符号番号が同じなものは、第１実施形態で説明したものと共通である。【００６０】  本発明の第２実施形態の通話システム全体の処理の流れを、図９に示す本発明の第２実施形態の通話システムにおけるサーバのフローチャートを参照して説明する。なお、図７のフローチャートとステップ番号が同じなものは、第１実施形態で説明した処理と共通の処理であるため、説明を省略する。【００６１】  図９のサーバのフローチャートでは、ステップＳ９０１〜９０３の処理を新たに追加している。まず、ステップＳ９０１の処理は、後再生用メッセージを所定の個数を越えて録音させないためのものである。ステップＳ７０７の処理において、発言権を付与できないことを通知するための発言権取得失敗通知を携帯電話Ａ１０ａに送信した後、録音した後再生用メッセージの個数が所定の個数以下であれば（ステップＳ９０１、Ｙｅｓ）、携帯電話Ａ１０ａから受信した後再生用メッセージを録音し（ステップＳ７０９）、録音した後再生用メッセージの個数が所定の個数よりも多ければ（ステップＳ９０１、Ｎｏ）、後再生用メッセージの録音処理を行わず、ステップＳ７１０の処理に進む。ステップＳ９０１の処理は、図５の構成図におけるメッセージ管理部６１によって行われる（Ｃ１の処理に機能を追加したものに相当。Ｃ１’と称する）。【００６２】  （Ｃ１’）メッセージ管理部６１は、ＰｏＣ通話中に、発言権を付与されていない携帯電話から受信する音声データを後再生用メッセージとして録音する指示を発言権管理部５４から受け付けると、メッセージ蓄積バッファ５９が記憶している後再生用メッセージの個数を蓄積メッセージ取得部６０により読み出させ、その個数に応じて、当該携帯電話から音声データ受信部５５により受信する音声データと、当該携帯電話を識別する識別情報を記憶するよう受信メッセージ蓄積部５８を制御する。【００６３】  メッセージ管理部６１のＣ１’の処理を利用すれば、単にサーバに録音可能な後再生用メッセージの個数を設定するだけでなく、上述の識別情報から特定される携帯電話毎に、録音可能な後再生用メッセージの個数を設定することができる。このため、例えば、ある携帯電話（複数の携帯電話であっても構わない）によるＰｏＣ通話による発話終了後に後再生用メッセージを再生する場合に、複数の後再生用メッセージの再生が延々と続くことによってＰｏＣ通話による新規の発話を妨げることを防止することができる。なお、録音可能な後再生用メッセージの個数は、一度のＰｏＣ通話に参加しているユーザの人数に応じて、あるいは、ある携帯電話による発話継続時間に応じて、可変するようにしても良い。【００６４】  また、ステップＳ９０２、９０３の処理は、１件の後再生用メッセージの再生後に別のの後再生用メッセージの再生を連続して行わず、所定の時間が経過するまで、ＰｏＣ通話による発話を行うための発言権取得要求を優先的に受け付けるものである。すなわち、上述のステップＳ９０１の処理では、録音可能な後再生用メッセージの個数を制限することにより、複数の後再生用メッセージの再生が継続することを防止したが、ステップＳ９０２、９０３の処理は、１件の後再生用メッセージの再生後にＰｏＣ通話による発話を優先する時間を設けることにより、複数の後再生用メッセージの再生が継続することを防止する。【００６５】  ステップＳ７１４の処理において、サーバ２０が、１件の後再生用メッセージを送信し終えて、携帯電話Ａ１０ａに付与した発言権を放棄すると、ＰｏＣ通話に参加しているユーザの携帯電話から、ＰｏＣ通話による発話を行うための発言権取得要求通知の有無を判定し（ステップＳ９０２）、発言権取得要求通知があれば（ステップＳ９０２、Ｙｅｓ）、ステップＳ７０３の処理に移行する。一方、発言権取得要求通知がなければ（ステップＳ９０２、Ｎｏ）、ステップＳ７１４の処理後から所定の時間が経過しているか否かを判定し（ステップＳ９０３）、経過していると判定すれば（ステップＳ９０３、Ｙｅｓ）、ステップＳ７１１の処理に移行し、経過していないと判定すれば（ステップＳ９０３、Ｎｏ）、ステップＳ９０２の処理に移行する。ステップＳ９０２、９０３の処理は、図５の構成図における発言権管理部５４（Ｂ４の後の処理。Ｂ５、Ｂ６と称する。Ｂ５はＢ１の処理と類似し、Ｂ６はＢ３の処理と類似する）およびメッセージ管理部６１（Ｃ２の処理に機能を追加したものに相当。Ｃ２’と称する）によって行われる。【００６６】  （Ｂ５）発言権管理部５４は、（Ｂ４）において発言権放棄通知をメッセージ管理部６１から受け付けた後、所定の時間が経過するまでの期間中に、携帯電話から発言権を付与するよう要求する発言権取得要求通知を発言権管理情報受信部５１により受信すると、その携帯電話に発言権を付与したことを通知するための発言権取得成功通知を送信するよう発言権管理情報送信部５２を制御し、発言権のステータスを「発言権付与済」に更新するよう発言権ステータス記憶バッファ５３を制御する。さらに、ＰｏＣ通話管理部５７に、当該携帯電話に発言権を付与したことを通知する。以後、発���権管理部５４は、（Ｂ２）〜（Ｂ４）記載の管理を行う。
（Ｂ６）発言権管理部５４は、（Ｂ４）において発言権放棄通知をメッセージ管理部６１から受け付けた後、発言権取得要求通知を受信しないまま所定の時間が経過したとき、発言権を付与している携帯電話が無いことを通知するための発言権未付与通知をメッセージ管理部６１に通知する。（Ｂ２）においてある携帯電話に後再生用メッセージを録音する指示をメッセージ管理部６１に通知していれば、当該携帯電話に発言権を付与することを通知する発言権取得成功通知をメッセージ管理部６１に通知する。以後、発言権管理部５４は、（Ｂ４）記載の管理を行う。【００６７】  （Ｃ２’）メッセージ管理部６１は、発言権を付与している携帯電話が無いことを通知するための発言権未付与通知を通知発言権管理部５４から通知されると、メッセージ蓄積バッファ５９に記憶した識別情報のうち、まだ再生していない後再生用メッセージ（録音した後再生用メッセージのうちの古いものから、順次選択することが好ましい）に対応する識別情報により識別される携帯電話に発言権を付与することを要求する発言権取得要求通知を発言権管理部５４に通知する。当該携帯電話に発言権を付与したことを通知する発言権取得成功通知を発言権管理部５４から受け付けると、メッセージ蓄積バッファ５９から読み出した後再生用メッセージを、当該携帯電話以外の携帯電話に対して、音声データ送信部５６に送信させるよう蓄積メッセージ取得部６０を制御する。以後、メッセージ管理部６１は、（Ｃ３）記載の管理を行う。【００６８】  発言権管理部５４のＢ５、Ｂ６の処理を利用すれば、１件の後再生用メッセージの再生後にＰｏＣ通話による発話を優先する時間を設けることができる。このため、例えば、ある携帯電話によるＰｏＣ通話による発話終了後に後再生用メッセージを再生する場合に、複数の後再生用メッセージの再生が延々と続くことによってＰｏＣ通話による新規の発話を妨げることを防止することができる。なお、上述の所定の時間は、一度のＰｏＣ通話に参加しているユーザの人数に応じて、あるいは、携帯電話のユーザによる発話継続時間に応じて、可変するようにしても良い。【００６９】  （第３実施形態）
本発明の第１、２実施形態の通話システムは、サーバ２０が、従来のＰｏＣ通話処理の制御信号として用いていた発言権取得成功通知および発言権取得失敗通知を判別条件として利用することにより、発言権の取得に成功した携帯電話から送信される音声データをＰｏＣ通話による発話のための音声データとして、発言権の取得に失敗した携帯電話から送信される音声データを後再生用メッセージを録音するための音声データとして特定している。本発明の第３実施形態の通話システムでは、新たに設定した制御信号を判別条件として利用することにより、携帯電話から送信される音声データをＰｏＣ通話による発話のための音声データあるいは後再生用メッセージを録音するための音声データとして特定する実施形態について説明する。【００７０】  図１０に、本発明の第３実施形態の通話システムにおけるシーケンスの概要の１例を示す。図１０のシーケンスは、図２に示す本発明の実施の形態の通話システムにおけるシーケンスの概要のステップＳ２４とＳ２６の処理が異なる（図１０のステップＳ１００１とＳ１００２が変更した処理に該当。ステップＳ２４、Ｓ２６以外の処理は、共通であるため、説明を省略する）。【００７１】  携帯電話Ｂ１０ｂからＰｏＣ通話開始を受け付けた携帯電話Ａ１０ａは、ユーザＢに対して発話を行う操作（専用のボタンを押下する）をユーザＡから受け付けると、サーバ２０に対して後再生用メッセージを送信することを要求する（ステップＳ１００１）。このときも、サーバ２０は、現在の発言権のステータスを判定する（ステップＳ２５）。サーバ２０は、発言権のステータスが「発言権付与済」である期間中に、携帯電話Ａ１０ａから後再生用メッセージを送信することを要求されると、後再生用メッセージの送信を許可するための信号を携帯電話Ａ１０ａに送信する（ステップＳ１００２）。携帯電話Ａ１０ａは、後再生用メッセージを送信することを許可されると、ユーザＢが発言権を放棄した後に再生するための発話内容をユーザＡから受け付け、その発話内容の音声をサーバに送信する（ステップＳ２７からステップＳ２８にかけての点線で囲まれた期間、ユーザＡは発話し続けるものとする）。すなわち、携帯電話Ａ１０ａは、実際に発言権が付与されるか否かによらず、携帯電話Ｂの発言権放棄後に再生するための発話を行うことを選択している。【００７２】  また、図１１に、本発明の第３実施形態の通話システムにおけるシーケンスの概要の他例を示す。図１１のシーケンスは、図１０に示す本発明の第３実施形態の通話システムにおけるシーケンスの概要とは、携帯電話Ｂ１０ｂが発言権を取得していない点が異なる。図１１のシーケンスのように、携帯電話Ａ１０ａは、実際に発言権が付与されるか否かによらず、別の携帯電話の発言権放棄後に再生するための発話を行うことを選択するようになると、どの携帯電話にも発言権を付与していないときに後再生用メッセージを送信することを要求する場合も想定される。このような場合の通話システムにおけるシーケンスの概要について説明する。【００７３】  携帯電話Ａ１０ａは、サーバ２０に対して後再生用メッセージを送信することを要求する（ステップＳ１００１）。サーバ２０は、現在の発言���のステータスを判定する（ステップＳ２５）。サーバ２０は、発言権のステータスが「発言権未付与」である期間中に、携帯電話Ａ１０ａから後再生用メッセージを送信することを要求されると、携帯電話Ｂ１０ｂに発言権を付与するための信号を送信し（ステップＳ１１０１）、「発言権付与済」という発言権のステータスに更新する。携帯電話Ａ１０ａがサーバ２０から発言権の取得に成功すると、ユーザＡは発話を開始し、専用のボタンを押下している間は発話を続けることができる（なお、図１１では、ユーザあは、携帯電話Ａ１０ａに発言権を付与された後の、点線で囲まれた期間、発話し続けるものとする。【００７４】  ユーザＡによる発話終了後、ユーザＡがＰｏＣ通話による発話を終了する操作（専用のボタンを解放する）を携帯電話Ａ１０ａにより行うと、携帯電話Ａ１０ａは、サーバ２０に対して発言権を放棄することを通知する（ステップＳ１１０２）。サーバ２０は、携帯電話Ａ１０ａから発言権を放棄することを通知されると、「発言権付与済」を「発言権未付与」という発言権のステータスに更新する。【００７５】  図１１のシーケンスにより、ある携帯電話が、どの携帯電話にも発言権を付与していないときに後再生用メッセージを送信することをサーバに対して要求する場合にも、当該携帯電話に発言権が付与されることにより、ＰｏＣ通話による発話を行うことができる。以下、本発明の実施の形態の通話システムを構成する携帯電話およびサーバについて、その構成と処理内容をより詳細に説明する。【００７６】  図１２に、本発明の第３実施形態の通話システムにおける携帯電話の構成図を示す。なお、本発明の第３実施形態の通話システムにおける携帯電話の外観は、第１実施形態と共通であるため説明を省略する。また、本発明の第３実施形態の通話システムにおける携帯電話およびサーバの構成において、第１実施形態と同一符号番号を割り当てた対象のものは、第１実施形態と同様の処理を行うため、説明を省略する。【００７７】  本発明の携帯電話は、図１２に示すように、アンテナ４７を含む無線部４１、マイク４２、スピーカ４３、状態管理部４４、画面表示部４５、ＰＴＴ１キー３１およびＰＴＴ２キー３２を含む操作キー４６、制御部１２０１とを含んで構成される。本発明の携帯電話の構成は、第１実施形態の携帯電話における状態管理部４４が省かれた構成であるが、これは、ＰｏＣ通話要求あるいは後再生要求を操作キー４６により受け付けることにより、ＰｏＣ通話のための発話か後再生用メッセージの録音のための発話かを、携帯電話が判別する必要がなくなったためである。【００７８】  制御部１２０１は、無線部４１により受信する制御信号に基づいて、自携帯電話に発言権が付与されているか否か、現在の発話がＰｏＣ通話中であること、または現在の発話が後再生用メッセージの作成のためのものであること、などを画面表示部４５に表示させたり、また、ＰＴＴ１キー３１およびＰＴＴ２キー３２による入力操作に基づいた制御信号を、無線部４１により送信させたり、マイク４２により収音した音声をＰｏＣ通話処理または後再生処理のいずれかで行うかを制御する。【００７９】  上記の制御信号のデータ形式の１例としては、図６に示���たデータ形式と共通であるが、Ｓｕｂｔｙｐｅ（制御信号種別）のデータ内容が異なるものが挙げられる。このＳｕｂｔｙｐｅは、第１実施形態で述べた制御信号の種別（発言権取得要求通知、発言権取得成功通知、発言権取得失敗通知、発言権放棄通知、発言権付与済通知、発言権未付与通知など）に加え、新たに「後再生要求通知」および「後再生許可通知」に対しても数値が割り当てられる（後再生要求通知、後再生許可通知に、例えば、７、８の数値を割り当てる）。制御信号は、このＳｕｂｔｙｐｅに割り当てられた数値により、「後再生要求通知」および「後再生許可通知」を含む制御信号の種別が区別される。【００８０】  また、上記の制御信号のデータ形式の他の例としては、図１３に示すものが挙げられる。この制御信号は、Ａｐｐｌｉｃａｔｉｏｎ−ｄｅｐｅｎｄｅｎｔ  ｄａｔａ（Ｓｕｂｔｙｐｅで指定する種別毎に用途が異なるフィールド）に所定のコードを追加記載することにより、「後再生要求通知」および「後再生許可通知」を含む制御信号の種別が区別される。「後再生要求通知」は、図１３（ａ）に示す発言権取得要求通知（Ｓｕｂｔｙｐｅ「０」が割り当てられた制御信号）のＡｐｐｌｉｃａｔｉｏｎ−ｄｅｐｅｎｄｅｎｔ  ｄａｔａに後再生要求用のコードを記載することにより、後再生要求通知であることが認識される。同様に、「後再生許可通知」は、図１３（ｂ）に示す発言権取得失敗通知（Ｓｕｂｔｙｐｅ「２」が割り当てられた制御信号）のＡｐｐｌｉｃａｔｉｏｎ−ｄｅｐｅｎｄｅｎｔ  ｄａｔａに後再生許可用のコードを記載することにより、後再生許可通知であることが認識される。このデータ形式により、「後再生要求通知」および「後再生許可通知」を含む制御信号の種別が区別される。【００８１】  制御部１２０１は、下記の５つの処理を行う。
（Ａ１）制御部１２０１は、ＰＴＴ１キー３１の押下により、ＰｏＣ通話を行う指示を受け付けると、サーバに対して発言権を付与するよう要求する発言権取得要求通知を送信するよう無線部４１を制御する（第１実施形態の携帯電話におけるＡ１の処理と共通の処理）。
（Ａ２）制御部１２０１は、発言権を付与したことを通知するための発言権取得成功通知を無線部４１により受信すると、ＰｏＣ通話処理を開始する。このとき、制御部１２０１は、携帯電話ユーザによる図３のＰＴＴ１キー３１の押下・解放に応じて、ＰｏＣ通話における発話・受話の処理を切り替える（第１実施形態の通話システムにおけるＡ１の処理と共通の処理）。
（Ａ３）制御部１２０１は、ＰＴＴ２キー３２の押下により、後再生用メッセージを録音する指示を受け付けると、サーバ２０に対して後再生用メッセージを送信することを要求する後再生要求通知を送信するよう無線部４１を制御する。
（Ａ４）制御部１２０１は、（Ａ３）の後、後再生用メッセージの送信を許可するための後再生許可通知を無線部４１により受信すると、自携帯電話に後再生用メッセージの録音が許可されたことを画面表示部４５に表示するよう制御する。さらに、ＰＴＴ２キー３２の押下により、後再生メッセージの録音開始する処理を受け付けけると、ＰＴＴ２キー３２が押下されている期間に入力される音声データを無線部４１により送信するよう制御する。
（Ａ５）制御部１２０１は、（Ａ３）の後、発言権を付与することを通知するための発言権取得成功通知を無線部４１により受信すると、自携帯電話に発言権が付与されたことを画面表示部４５に表示するよう制御する。さらに、ＰＴＴ２キー３２の押下・解放に応じて、ＰｏＣ通話における発話・受話の処理を切り替える。【００８２】  なお、本発明の携帯電話に、近年の携帯電話が有する各種機能を設けることもでき、特に、ＰｏＣ機能に加えて電話機能を付加する構成としても構わない。【００８３】  本発明のサーバ２０の構成は、図５と共通である。発言権管理部５４は、下記の５つの処理を繰り返す。なお、メッセージ管理部６１がＰｏＣ通話中に行う処理は、第１実施形態で述べたＣ１からＣ３の処理と共通である。【００８４】  （Ｂ１）発言権管理部５４は、発言権ステータス記憶バッファ５３に記憶されている発言権のステータスが「発言権未付与」である期間中に、携帯電話から発言権を付与するよう要求する発言権取得要求通知を発言権管理情報受信部５１により受信すると、その携帯電話に発言権を付与したことを通知するための発言権取得成功通知を送信するよう発言権管理情報送信部５２を制御し、発言権のステータスを「発言権付与済」に更新するよう発言権ステータス記憶バッファ５３を制御する。さらに、ＰｏＣ通話管理部５７に、当該携帯電話に発言権を付与したことを通知する（第１実施形態のサーバにおけるＢ１の処理と共通の処理）。
（Ｂ２）発言権管理部５４は、発言権ステータス記憶バッファ５３に記憶されている発言権のステータスが「発言権付与済」である期間中に、別の携帯電話から後再生用メッセージを送信することを要求する後再生要求通知を発言権管理情報受信部５１により受信すると、後再生用メッセージの送信を許可するための後再生許可通知を当該別の携帯電話に送信するよう発言権管理情報送信部５２を制御する。さらに、当該別の携帯電話から受信する音声データを後再生用メッセージとして録音する指示をメッセージ管理部６１に通知する。
（Ｂ３）発言権管理部５４は、発言権を付与していた携帯電話から発言権を放棄することを通知する発言権放棄通知を発言権管理情報受信部５１により受信すると、発言権を付与している携帯電話が無いことを通知するための発言権未付与通知をメッセージ管理部６１に通知する。（Ｂ２）において別の携帯電話からの後再生用メッセージを録音する指示をメッセージ管理部６１に通知していれば、当該別の携帯電話に発言権を付与することを通知する発言権取得成功通知をメッセージ管理部６１に通知する（第１実施形態のサーバにおけるＢ３の処理と共通の処理）。
（Ｂ４）発言権管理部５４は、メッセージ管理部６１が後再生用メッセージを再生した後、（Ｂ３）において発言権を付与した携帯電話から発言権を放棄することを通知する発言権放棄通知をメッセージ管理部６１から受け付けると、発言権ステータス記憶バッファ５３に記憶されている発言権のステータスを「発言権未付与」に更新する（第１実施形態のサーバにおけるＢ４の処理と共通の処理）。
（Ｂ７）発言権管理部５４は、発言権ステータス記憶バッファ５３に記憶されている発言権のステータスが「発言権未付与」である期間中に、携帯電話から後再生用メッセージを送信することを要求する後再生要求通知を発言権管理情報受信部５１により受信すると、その携帯電話に発言権を付与したことを通知するための発言権取得成功通知を送信するよう発言権管理情報送信部５２を制御し、発言権のステータスを「発言権付与済」に更新するよう発言権ステータス記憶バッファ５３を制御する。さらに、ＰｏＣ通話管理部５７に、当該携帯電話に発言権を付与したことを通知する。【００８５】  次に、本発明の第３実施形態の通話システム全体の処理の流れを、図１４に示す本発明の第３実施形態の通話システムにおけるサーバのフローチャートを参照して説明する。図１４のフローチャートの各処理において、図７のフローチャートと同一のステップ番号を割り当てたものは、第１実施形態と同様の処理であるため、説明を省略する。【００８６】  携帯電話Ｂ１０ｂは、携帯電話ＢユーザからＰｏＣ通話を行う指示あるいは後再生処理を行う指示を受け付けると、サーバ２０に対して発言権を付与するよう要求する発言権取得要求通知あるいは後再生用メッセージを送信することを要求する後再生要求通知を送信する（Ａ１あるいはＡ３の処理に該当）。一方、サーバ２０は、携帯電話Ｂ１０ｂからその発言権取得要求通知を受信する（ステップＳ７０１、Ｙｅｓ）、あるいは、携帯電話Ｂ１０ｂからその後再生要求通知を受信すると（ステップＳ７０１、Ｎｏ。ステップＳ１４０１、Ｙｅｓ）、発言権のステータスが「発言権未付与」であるため（ステップＳ７０２、Ｎｏ）、その携帯電話Ｂ１０ｂに発言権を付与するための発言権取得成功通知を送信し（ステップＳ７０３）、発言権のステータスを「発言権付与済」に更新する（Ｂ１あるいはＢ７の処理に該当）。サーバ２０は、その発言権取得成功通知を送信すると、ＰｏＣ通話処理を開始する（ステップＳ７０４）。その後、サーバ２０は、携帯電話Ｂ１０ｂのユーザが図３のＰＴＴ１キー３１あるいはＰＴＴ２キー３２の押下している間、携帯電話Ｂ１０ｂのユーザの発話を携帯電話Ａ１０ａに送信し続け、携帯電話Ｂ１０ｂのユーザがＰＴＴ１キー３１を解放すると、携帯電話Ｂ１０ｂから発言権放棄通知を受信することになる（ステップＳ７０６。Ａ２あるいはＡ５の処理に該当）。また、サーバ２０は、携帯電話Ｂ１０ｂのユーザの発話を携帯電話Ａ１０ａに送信している間も（ステップＳ７０５、Ｎｏ）、携帯電話Ａユーザからの発言権取得要求通知を受信する（ステップＳ７０１）。【００８７】  一方、サーバ２０は、携帯電話Ｂ１０ｂに発言権を付与している期間に（ステップＳ７０２、Ｙｅｓ）、携帯電話Ａ１０ａから発言権取得要求通知あるいは後再生要求通知を受信すると、後再生用メッセージの送信を許可するための後再生許可通知を送信する（ステップＳ１４０２）。その後、サーバ２０は、後再生用メッセージを携帯電話Ａ１０ａから受信すると（ステップＳ７０８、Ｙｅｓ。Ａ４、Ｂ２の処理に該当）、後再生用メッセージを録音する（ステップＳ７０９。Ｃ１の処理に該当）。【００８８】  第３実施形態では、ＰｏＣ通話を行���ユーザが２人の場合について説明したが、一度のＰｏＣ通話に参加するユーザの人数が増えた場合でも、図１５の本発明の第３実施形態の通話システムにおけるシーケンスの概要の別例に示すように、発言権を付与されなかった各携帯電話毎（携帯電話Ａ、Ｂ毎に、後再生要求および後再生許可をステップＳ１００１、Ｓ１５０１およびステップＳ１００２、Ｓ１５０２の処理で行っている）に後再生用メッセージを録音し（ステップＳ２７からステップＳ２８にかけての点線で囲まれた期間、ステップＳ１５０３からステップＳ１５０４にかけての点線で囲まれた期間、それぞれの音声を録音）、発言権を付与された携帯電話がその発言権を放棄後（ステップＳ３０）、録音したそれぞれの後再生用メッセージを再生することにより（ステップＳ１５０５）、後再生処理を行うことができる。【００８９】  なお、本発明の第３実施形態の通話システムの処理と、本発明の第２実施形態の通話システムの処理と、を組み合わせることも可能である。すなわち、発言権管理部５４、メッセージ管理部６１の処理に、次の処理を追加する。【００９０】  （Ｂ５）発言権管理部５４は、（Ｂ４）において発言権放棄通知をメッセージ管理部６１から受け付けた後、所定の時間が経過するまでの期間中に、携帯電話から発言権を付与するよう要求する発言権取得要求通知を発言権管理情報受信部５１により受信すると、その携帯電話に発言権を付与したことを通知するための発言権取得成功通知を送信するよう発言権管理情報送信部５２を制御し、発言権のステータスを「発言権付与済」に更新するよう発言権ステータス記憶バッファ５３を制御する。さらに、ＰｏＣ通話管理部５７に、当該携帯電話に発言権を付与したことを通知する。以後、発言権管理部５４は、（Ｂ２）〜（Ｂ４）、（Ｂ７）記載の管理を行う。
（Ｂ６）発言権管理部５４は、（Ｂ４）において発言権放棄通知をメッセージ管理部６１から受け付けた後、発言権取得要求通知を受信しないまま所定の時間が経過したとき、発言権を付与している携帯電話が無いことを通知するための発言権未付与通知をメッセージ管理部６１に通知する。（Ｂ２）においてある携帯電話に後再生用メッセージを録音する指示をメッセージ管理部６１に通知していれば、当該携帯電話に発言権を付与することを通知する発言権取得成功通知をメッセージ管理部６１に通知する。以後、発言権管理部５４は、（Ｂ４）記載の管理を行う。【００９１】  （Ｃ２’）メッセージ管理部６１は、発言権を付与している携帯電話が無いことを通知するための発言権未付与通知を通知発言権管理部５４から通知されると、メッセージ蓄積バッファ５９に記憶した識別情報のうち、まだ再生していない後再生用メッセージ（録音した後再生用メッセージのうちの古いものから、順次選択することが好ましい）に対応する識別情報により識別される携帯電話に発言権を付与することを要求する発言権取得要求通知を発言権管理部５４に通知する。当該携帯電話に発言権を付与したことを通知する発言権取得成功通知を発言権管理部５４から受け付けると、メッセージ蓄積バッファ５９から読み出した後再生用メッセージを、当該携帯電話以外の携帯電話に対して、音声データ送信部５６に送信させるよう蓄積メッセージ取得部６０を制御する。以後、メッセージ管理部６１は、（Ｃ３）記載の管理を行う。【００９２】  以上、本発明の第３実施形態の通話システムによれば、発言権が携帯電話に付与されていても、いなくても、携帯電話ユーザは発話することができるため、すなわち、自携帯電話に発言権が付与されている期間は、発言権が付与されていない他携帯電話に対して発話し、自携帯電話に発言権が付与されていない期間は、一旦、発話内容をサーバに録音させておき、発言権を付与された携帯電話がその発言権を放棄した後に、録音しておいた発話内容を他携帯電話に対して再生するため、ＰｏＣ通話に参加するユーザが所望のタイミングで発話することができる。【００９３】  また、本発明の第１実施形態の通話システムは、図１０、図１１に示すように、新たに設定した制御信号を判別条件として利用することにより、携帯電話から送信される音声データをＰｏＣ通話による発話のための音声データあるいは後再生用メッセージを録音するための音声データとして特定する。このため、携帯電話ユーザは、現在の発言権のステータスを発話する度に確認しなくても、携帯電話が自動的にＰｏＣ通話による発話、あるいは後再生用メッセージを録音するための発話、を自動で切り替えることができるため、ＰｏＣ通話処理および後再生処理の利便性が向上する。【００９４】  本発明を詳細にまた特定の実施態様を参照して説明したが、本発明の精神と範囲を逸脱することなく様々な変更や修正を加えることができることは当業者にとって明らかである。【００９５】  本出願は、２００５年７月１３日出願の日本特許出願（特願２００５−２０４５８４）に基づくものであり、その内容はここに参照として取り込まれる。
【産業上の利用可能性】
【００９６】  本発明の電話端末、サーバ、その電話端末とそのサーバとから成る通話システム、および通話方法によれば、ＰｏＣ通話に参加するユーザが所望のタイミングで発話することができるという効果を奏し、ＰｏＣ通話を行う電話端末、そのＰｏＣ通話に利用されるサーバ、および、その電話端末とそのサーバにより構成される通話システムに関する分野において有用である。
【図１】
2007007806.tif 000002
【図２】
2007007806.tif 000003
【図３】
2007007806.tif 000004
【図４】
2007007806.tif 000005
【図５】
2007007806.tif 000006
【図６】
2007007806.tif 000007
【図７】
2007007806.tif 000008
【図８】
2007007806.tif 000009
【図９】
2007007806.tif 000010
【図１０】
2007007806.tif 000011
【図１１】
2007007806.tif 000012
【図１２】
2007007806.tif 000013
【図１３】
2007007806.tif 000014
【図１４】
2007007806.tif 000015
【図１５】
2007007806.tif 000016
【図１６】
2007007806.tif 000017
【図１７】
2007007806.tif 000018
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
複数の電話端末間の通話を管理するサーバであって、
前記電話端末のうちのいずれか１つに発言権を付与する発言権管理部と、
前記電話端末から音データを受信するサーバ受信部と、
前記サーバ受信部で受信した音データのうち、前記発言権管理部により発言権を付与していない電話端末からの音データを記憶する記憶部と、
前記電話端末に対して、前記サーバ受信部で受信した音データ又は前記記憶部に記憶された音データを送信するサーバ送信部とを備え、
前記サーバ送信部は、前記発言権管理部が前記電話端末のいずれかに発言権を付与しているときは、当該電話端末から受信した音データを前記発言権を付与していない電話端末に対して送信し、前記電話端末のいずれにも発言権を付与していないときは、前記記憶部に記憶した音データを前記電話端末に対して送信する、
サーバ。
【請求項２】
請求項１記載のサーバであって、
前記サーバ送信部は、前記電話端末のいずれにも発言権を付与していないときは、前記記憶部に記憶した音データを当該音データを送信した電話端末を除く前記電話端末に対して送信する、
サーバ。
【請求項３】
請求項２記載のサーバであって、
前記記憶部は、前記発言権管理部により発言権を付与していない電話端末からの音データを、当該電話端末を識別する識別情報と対応付けて記憶し、
前記サーバ送信部は、前記発言権管理部が前記電話端末のいずれにも発言権を付与していないとき、前記記憶部から前記識別情報を記憶順に読み出し、当該識別情報により特定される電話端末を除く前記電話端末に対して、当該識別情報に対応して記憶された音データを送信する、
サーバ。
【請求項４】
請求項１から３のいずれか１項に記載のサーバであって、
前記サーバ送信部は、前記記憶部に記憶された音データを送信終了した時点から所定の時間経過後であって、前記発言権管理部が前記電話端末のいずれにも発言権を付与していないとき、前記記憶部に記憶された音データを送信する、
サーバ。
【請求項５】
請求項１から４のいずれか１項に記載のサーバであって、
前記記憶部は、前記サーバ受信部により受信した音データを所定の数記憶するサーバ。
【請求項６】
発言権の付与を行うサーバを利用した通話を行う電話端末であって、
前記サーバから発言権の取得を行う発言権取得部と、
前記サーバに対して音データを送信する電話端末送信部と、
前記発言権を取得していない間、前記サーバから音データを受信する電話端末受信部と、を備え、
前記電話端末送信部は、前記発言権を取得している間は、第１の操作にしたがって前記サーバに音データを送信し、前記発言権を取得していない間は、第２の操作にしたがって前記サーバに音データを送信する、
電話端末。
【請求項７】
請求項１から５のいずれか１項に記載のサーバと、請求項６記載の電話端末と、を含んで構成される通話システム。
【請求項８】
複数の電話端末のうちのいずれか１つに発言権を付与できるサーバを使用する通話方法であって、
前記電話端末から音データを受信する音データ受信ステップと、
前記音データ受信ステップで受信した音データのうち、前記発言権を付与していない電話端末からの音データを記憶する音データ記憶ステップと、
前記電話端末のいずれかに発言権を付与しているとき、当該電話端末から受信した音データを前記発言権を付与していない電話端末に対して送信し、前記電話端末のいずれにも発言権を付与していないとき、前記音データ記憶ステップで記憶した音データを前記電話端末に対して送信する音データ送信ステップと、
を有する通話方法。
【手続補正２】
【補正対象書類名】明細書
【補正対象項目名】全文
【補正方法】変更
【補正の内容】
【発明の詳細な説明】
【技術分野】
【０００１】
本発明は、話者が音声を交互にやり取りする機能であるＰｏＣ（Push-to-Talk over Cellular）を利用して通話を行う電話端末、そのＰｏＣ通話に利用されるサーバ、および、その電話端末とそのサーバにより構成される通話システムに関するものである。
【背景技術】
【０００２】
トランシーバや業務用無線機のように、その端末に備わる発話用ボタンを押下している間に発話し、発話用ボタンを解放しているときには他の話者からの発話内容を音声出力することにより、複数の話者の間で音声を交互にやり取りする機能（ＰＴＴ：Push-to-Talk）を備えた端末が、現在広く利用されている。このＰＴＴ機能を利用した端末は、２者の間による通話を基本とする電話回線を利用した端末とは異なり、３者以上の間での通話をも容易に実現することができるため、複数人と同時にコミュニケーションを取る場合に用いられることが多い。
【０００３】
このＰＴＴ機能を携帯電話で実現するものがＰｏＣ（Push-to-Talk over Cellular）と呼ばれる技術である。ＰｏＣ機能を利用した携帯電話は、例えば電話帳から通話相手を選び、上述のトランシーバや業務用無線機と同様に携帯電話に備わる専用のボタンを押下・解放することにより、ＰｏＣ通話を行うことができる。ＰｏＣ機能を利用した携帯電話は、電話回線を利用した端末が通話開始時に行うダイヤル処理を必要としないため、通話を開始するまでにかかる時間を短縮することができる。以下、ＰｏＣ機能を利用した携帯電話（以下、単に携帯電話と称する）とそのＰｏＣ通話に利用されるサーバ（以下、単にサーバと称する）との処理について、具体的に説明する。
【０００４】
図１６に、従来の携帯電話とサーバとにより構成されるシステムにおけるシーケンスの１例を示す。図１６では、ユーザＡが所有する携帯電話ＡとユーザＢが所有する携帯電話Ｂとの間でＰｏＣ通話を行う場合を想定している。
【０００５】
携帯電話−サーバ間のＰｏＣ通話処理において最も重要な概念は、特定の携帯電話による発話を許可する権限（発言権と称する）をサーバが管理し、サーバからその発言権を付与された携帯電話が通話による発話を行うことができるということである。これを図１６を参照して説明すると、まず、ユーザＢがユーザＡに対してＰｏＣ通話を開始する操作（例えば、電話帳から通話相手であるユーザＡを選び、専用のボタンを押下する）を携帯電話Ｂにより行うと、携帯電話Ｂは、サーバに対して発言権を付与することを要求する（ステップＳ１６０１）。サーバは、携帯電話Ａと携帯電話Ｂの間でＰｏＣ通話を開始することを携帯電話Ｂから通知されると、携帯電話Ｂに発言権を付与するための信号を送信し（ステップＳ１６０２）、「発言権付与済」という発言権のステータスを記憶する。携帯電話Ｂがサーバから発言権を取得すると、ユーザＢは発話を開始し、専用のボタンを押下している間（ステップＳ１６０２以後の点線で囲まれた期間）は発話を続けることができる。
【０００６】
一方、携帯電話ＢからＰｏＣ通話開始を受け付けた携帯電話Ａは、ユーザＢに対して発話行う操作（専用のボタンを押下する）をユーザＡから受け付けると、サーバに対して発言権を付与することを要求する（ステップＳ１６０３、Ｓ１６０５）。このとき、サーバは、発言権のステータスが「発言権付与済」である期間中に、携帯電話Ａから発言権を付与するよう要求されると、発言権を付与できないことを通知するための信号を携帯電話Ａに送信する（ステップＳ１６０４、Ｓ１６０６）。その結果、携帯電話Ａがサーバから発言権を取得することに失敗している間（携帯電話Ｂに発言権を付与している期間）は、ユーザＡは専用のボタンを押下しても発話を行うことができないことになる。その後、携帯電話Ａは、携帯電話Ｂが発言権を放棄した後（ステップＳ１６０７）、サーバに対して発言権を付与することを要求すると（ステップＳ１６０８）、携帯電話Ａに発言権を付与されることになる（ステップＳ１６０９）。
【０００７】
さらに、図１７に、従来の携帯電話とサーバとにより構成されるシステムにおけるシーケンスの他の例を示す。図１７では、４人のユーザＡ、Ｂ、Ｃが各々所有する携帯電話Ａ、Ｂ、Ｃの間でＰｏＣ通話を行う場合を想定している。
【０００８】
まず、ユーザＢがユーザＡ、Ｃに対してＰｏＣ通話を開始する操作（例えば、電話帳から通話相手であるユーザＡ、Ｃを選び、専用のボタンを押下する）を携帯電話Ｂにより行う。以後、ユーザＢが発話を開始するまでの携帯電話Ｂとサーバの処理は、図１６の説明における携帯電話Ｂとサーバの処理と同一である。
【０００９】
ユーザＢによる発話終了後、ユーザＢがＰｏＣ通話による発話を終了する操作（専用のボタンを解放する）を携帯電話Ｂにより行うと、携帯電話Ｂは、サーバに対して発言権を放棄することを通知する（ステップＳ１７０１）。サーバは、携帯電話Ｂから発言権を放棄することを通知されると、「発言権付与済」を「発言権未付与」という発言権のステータスに更新する。
【００１０】
その後、ユーザＣがユーザＡ、Ｂに対してＰｏＣ通話を開始する操作（専用のボタンを押下する）を携帯電話Ｃにより行い、携帯電話Ｃがサーバに対して発言権を付与することを要求すると（ステップＳ１７０２）、サーバは、現在発言権のステータスが「発言権未付与」であることから、携帯電話Ｃに発言権を付与するための信号を送信し（ステップＳ１７０３）、「発言権付与済」という発言権のステータスに更新する。
【００１１】
以後、サーバは、下記の３つの処理を繰り返すことになる。
（１）発言権のステータスが「発言権付与済」である期間中に、別の携帯電話から発言権を付与するよう要求されると、発言権を付与できないことを通知するための信号を別の携帯電話に送信する。
（２）特定の携帯電話から発言権を放棄することを通知されると（ステップＳ１７０１、４、７）、「発言権付与済」を「発言権未付与」という発言権のステータスに更新する。
（３）発言権のステータスが「発言権未付与」である期間中に、携帯電話から発言権を付与することを要求されると（ステップＳ１７０２、５）、その携帯電話に発言権を付与するための信号を送信し（ステップＳ１７０３、６）、発言権のステータスを「発言権付与済」に更新する。
【非特許文献１】Push-to-Talk over Cellular (PoC)-Architecture-2.0.8、第６頁
【発明の開示】
【発明が解決しようとする課題】
【００１２】
上述の携帯電話では、発言権を付与されている期間しか発話することができず、したがって、携帯電話ユーザは、所望のタイミングで発話することが必ずしもできなかった。このような状況は、１つのＰｏＣ通話に参加するユーザ数が増えるほどに顕著になってしまう。
【００１３】
本発明は、上記事情に鑑みてなされたもので、ＰｏＣ通話に参加するユーザが所望のタイミングで発話することができる電話端末、サーバ、およびその電話端末とそのサーバとから成る通話システムを提供することを目的とする。
【課題を解決するための手段】
【００１４】
本発明のサーバは、複数の電話端末間の通話を管理するサーバであって、前記電話端末のうちのいずれか１つに発言権を付与する発言権管理部と、前記電話端末から音データを受信するサーバ受信部と、前記サーバ受信部で受信した音データのうち、前記発言権管理部により発言権を付与していない電話端末からの音データを記憶する記憶部と、前記電話端末に対して、前記サーバ受信部で受信した音データ又は前記記憶部に記憶された音データを送信するサーバ送信部とを備え、前記サーバ送信部が、前記発言権管理部が前記電話端末のいずれかに発言権を付与しているときは、当該電話端末から受信した音データを前記発言権を付与していない電話端末に対して送信し、前記電話端末のいずれにも発言権を付与していないときは、前記記憶部に記憶した音データを前記電話端末に対して送信する、ものである。
【００１５】
本発明の電話端末は、発言権の付与を行うサーバを利用した通話を行う電話端末であって、前記サーバから発言権の取得を行う発言権取得部と、前記サーバに対して音データを送信する電話端末送信部と、前記発言権を取得していない間、前記サーバから音データを受信する電話端末受信部と、を備え、前記電話端末送信部が、前記発言権を取得している間は、第１の操作にしたがって前記サーバに音データを送信し、前記発言権を取得していない間は、第２の操作にしたがって前記サーバに音データを送信する、ものである。
【００１６】
本発明の通話システムは、本発明のサーバと、本発明の電話端末と、を含んで構成されるものである。
【００１７】
本発明の通話方法は、複数の電話端末のうちのいずれか１つに発言権を付与できるサーバを使用する通話方法であって、前記電話端末から音データを受信する音データ受信ステップと、前記音データ受信ステップで受信した音データのうち、前記発言権を付与していない電話端末からの音データを記憶する音データ記憶ステップと、前記電話端末のいずれかに発言権を付与しているとき、当該電話端末から受信した音データを前記発言権を付与していない電話端末に対して送信し、前記電話端末のいずれにも発言権を付与していないとき、前記音データ記憶ステップで記憶した音データを前記電話端末に対して送信する音データ送信ステップと、を有するものである。
【００１８】
この構成によれば、ＰｏＣ通話に参加するユーザが所望のタイミングで発話することができる。
【００１９】
また、本発明のサーバは、前記サーバ送信部が、前記電話端末のいずれにも発言権を付与していないときは、前記記憶部に記憶した音データを当該音データを送信した電話端末を除く前記電話端末に対して送信する、ものである。
【００２０】
この構成によれば、音データを送信していない電話端末に録音した音データを送信するため、音データを送信した電話端末が当該端末ユーザの音声が録音された音データを受信することが無くなる。元々、あるユーザが発した音声をユーザ自身で聞く必要性は低いため、電話端末による音データの受信を効率的に行うことができる。
【００２１】
また、本発明のサーバは、前記記憶部が、前記発言権管理部により発言権を付与していない電話端末からの音データを、当該電話端末を識別する識別情報と対応付けて記憶し、前記サーバ送信部が、前記発言権管理部が前記電話端末のいずれにも発言権を付与していないとき、前記記憶部から前記識別情報を記憶順に読み出し、当該識別情報により特定される電話端末を除く前記電話端末に対して、当該識別情報に対応して記憶された音データを送信する、ものを含む。
【００２２】
この構成によれば、あるユーザが発話内容を複数回録音した場合や、複数のユーザがそれぞれ発話内容を録音した場合であっても、サーバは、発話内容を録音した順に、発話内容を録音したユーザが利用する携帯電話以外の携帯電話に対して、その発話内容を送信することができる。
【００２３】
また、本発明のサーバは、前記サーバ送信部が、前記記憶部に記憶された音データを送信終了した時点から所定の時間経過後であって、前記発言権管理部が前記電話端末のいずれにも発言権を付与していないとき、前記記憶部に記憶された音データを送信する、ものを含む。
【００２４】
この構成によれば、ある１件の発話内容の送信後に、発言権を付与した携帯電話からの発話内容を発言権を付与していない携帯電話に直接送信する処理を優先することができる。このため、例えば、サーバがある携帯電話による発話終了後に、録音した複数の発話内容を送信する場合に、複数の発話内容の送信が延々と続くことによって、急を要する発話内容の送信が行われるまでに時間がかかることを防止することができる。
【００２５】
また、本発明のサーバは、前記記憶部が、前記サーバ受信部により受信した音データを所定の数記憶する、ものを含む。
【００２６】
この構成によれば、録音可能な発話内容の数を制限することにより、録音した複数の発話内容を送信する場合に、複数の発話内容の送信が延々と続くことを防止することができる。
【発明の効果】
【００２７】
本発明の電話端末、サーバ、その電話端末とそのサーバとから成る通話システム、および通話方法によれば、ＰｏＣ通話に参加するユーザが所望のタイミングで発話することができる。
【発明を実施するための最良の形態】
【００２８】
本発明の実施の形態の通話システムについて、その処理の概要を図面を参照して説明する。図１に、本発明の実施の形態の通話システムの概念図、図２に、本発明の実施の形態の通話システムにおけるシーケンスの概要、をそれぞれ示す。本発明の実施の形態の通話システムの概要を説明するために、図１に示す通話システムは、ユーザＡが所有する携帯電話Ａ１０ａとユーザＢが所有する携帯電話Ｂ１０ｂとの間でＰｏＣ通話を行う場合について記述している。
【００２９】
図２に示すシーケンスに沿って、本発明の実施の形態の通話システムの処理概要を説明する。
まず、ユーザＢがユーザＡに対してＰｏＣ通話を開始する操作（例えば、電話帳から通話相手であるユーザＡを選び、専用のボタンを押下する）を携帯電話Ｂ１０ｂにより行うと、携帯電話Ｂ１０ｂは、サーバ２０に対して発言権を付与することを要求する（ステップＳ２１）。サーバ２０は、携帯電話Ａ１０ａと携帯電話Ｂ１０ｂの間でＰｏＣ通話を開始することを携帯電話Ｂから通知されると、現在の発言権のステータスを判定する（ステップＳ２２）。このときＰｏＣ通話を行う携帯電話Ａ、Ｂに発言権を付与していないステータス「発言権未付与」であることから、携帯電話Ｂ１０ｂに発言権を付与するための信号を送信し（ステップＳ２３）、「発言権付与済」という発言権のステータスに更新する。携帯電話Ｂ１０ｂがサーバ２０から発言権の取得に成功すると、ユーザＢは発話を開始し、専用のボタンを押下している間は発話を続けることができる（この処理は、図１における「１．ユーザＡに発話中」に対応する）。なお、図２では、ユーザＢは、携帯電話Ｂ１０ｂに発言権を付与された後の、点線で囲まれた期間、発話し続けるものとする。
【００３０】
一方、携帯電話Ｂ１０ｂからＰｏＣ通話開始を受け付けた携帯電話Ａ１０ａは、ユーザＢに対して発話を行う操作（専用のボタンを押下する）をユーザＡから受け付けると、サーバ２０に対して発言権を付与することを要求する（ステップＳ２４）。このときも、サーバ２０は、現在の発言権のステータスを判定する（ステップＳ２５）。サーバ２０は、発言権のステータスが「発言権付与済」である期間中に、携帯電話Ａ１０ａから発言権を付与するよう要求されると、発言権を付与できないことを通知するための信号を携帯電話Ａ１０ａに送信する（ステップＳ２６）。その結果、携帯電話Ａ１０ａは、サーバ２０から発言権を取得することに失敗する。携帯電話Ａ１０ａは、発言権を付与できないことを通知されると、ユーザＢが発言権を放棄した後に再生するための発話内容をユーザＡから受け付け、その発話内容の音声をサーバに送信する（ステップＳ２７からステップＳ２８にかけての点線で囲まれた期間、ユーザＡは発話し続けるものとする。この処理は、図１における「２．音声メッセージを送信」に対応する）。すなわち、携帯電話Ａ１０ａは、発言権が付与されるか否かによって、ＰｏＣ通話のための発話を行うかあるいは携帯電話Ｂの発言権放棄後に再生するための発話を行うかを切り替えている。なお、携帯電話Ｂ１０ｂもまた、携帯電話Ａ１０ａと同様の切り替えを行っており、ステップＳ２３では発言権が付与された結果、ＰｏＣ通話を開始したことになる。
【００３１】
携帯電話Ａ１０ａから音声を受信したサーバ２０は、その音声を録音（音声メッセージを作成）する（ステップＳ２９この処理は、図１における「３．音声メッセージを録音」に対応する）。
【００３２】
ユーザＢによる発話終了後、ユーザＢがＰｏＣ通話による発話を終了する操作（専用のボタンを解放する）を携帯電話Ｂ１０ｂにより行うと、携帯電話Ｂ１０ｂは、サーバ２０に対して発言権を放棄することを通知する（ステップＳ３０）。サーバ２０は、携帯電話Ｂ１０ｂから発言権を放棄することを通知されると、「発言権付与済」を「発言権未付与」という発言権のステータスに更新する。サーバ２０は、さらに、発言権のステータスが「発言権未付与」で、かつ、録音した音声メッセージを保有している場合、録音した音声メッセージを携帯電話Ｂ１０ｂに送信する（ステップＳ３１）。携帯電話Ｂ１０ｂは、サーバ２０から受信した音声メッセージを再生することになる（この処理は、図１における「４．ユーザＢの発話終了後、録音した音声メッセージを再生」に対応する。以後、発言権を付与されたユーザによる発言権の放棄後、発言権を付与されていなかったユーザにより録音されていた音声メッセージを再生する処理のことを「後再生処理」と称し、録音された音声メッセージのことを「後再生用メッセージ」と称する）。
【００３３】
本発明の実施の形態の通話システムによれば、発言権が携帯電話に付与されていても、いなくても、携帯電話ユーザは発話することができるため、すなわち、自携帯電話に発言権が付与されている期間は、発言権が付与されていない他携帯電話に対して発話し、自携帯電話に発言権が付与されていない期間は、一旦、発話内容をサーバに録音させておき、発言権を付与された携帯電話がその発言権を放棄した後に、録音しておいた発話内容を他携帯電話に対して再生するため、ＰｏＣ通話に参加するユーザが所望のタイミングで発話することができる。また、後再生用メッセージの再生中は、その発話内容をサーバに録音させた携帯電話に発言権を付与しているとみなすことができるため、従来のサーバにおける発言権の管理方法と矛盾が生じることもない。以下、本発明の実施の形態の通話システムを構成する携帯電話およびサーバについて、その構成と処理内容をより詳細に説明する。
【００３４】
（第１実施形態）
図３に、本発明の第１実施形態の通話システムにおける携帯電話の外観図、図４に、本発明の第１実施形態の通話システムにおける携帯電話の構成図、図５に、本発明の第１実施形態の通話システムにおけるサーバの構成図、をそれぞれ示す。
【００３５】
本発明の携帯電話の外観例としては、図３（ａ）に示すように、２種類のＰＴＴ（ＰＴＴ：Push-to-Talk）キー３１、３２とディスプレイ３３を備えたものが挙げられる。操作キーのうちの１つであるＰＴＴ１キー３１は、項目[背景技術］で述べた、押下・解放によりＰｏＣ通話を行うための専用のボタンに該当する。一方、もう１つのＰＴＴ２キー３２は、本項目で述べる、後再生処理における発話内容を録音するために使用するものである。ＰＴＴ２キー３２の操作例は後述する。
【００３６】
また、図３（ｂ）には、本発明の携帯電話のディスプレイ３３にＰｏＣ通話中に表示する表示例を示している。この２つの表示例は、ユーザＡ、Ｂ、Ｃ、Ｄから構成される第１グループ内でＰｏＣ通話を行う場合のものであり、ユーザＡ、ＢはこのＰｏＣ通話に参加しており、一方、ユーザＣ、ＤはこのＰｏＣ通話に参加していないことが、ユーザのステータス３４により確認することができる。また、２つの表示例のうちの左側は図１におけるユーザＢが利用している携帯電話のディスプレイ３３の表示例、右側は図１におけるユーザＡが利用している携帯電話のディスプレイ３３の表示例、をそれぞれ示しており、ユーザＢが発言中であること、ユーザＢの発言中であるため現時点でユーザＡが発言権を取得できないこと、をそれぞれ発言権のステータス３５により確認することができる。携帯電話ユーザは、ＰｏＣ通話を行う際、図３（ｂ）のように表示したディスプレイ３３を見て、ＰｏＣ通話へのユーザの参加状況や、そのユーザに付与されている発言権のステータスを確認しながら、ＰＴＴ１キー３１、ＰＴＴ２キー３２を押下・解放してＰｏＣ通話を行う。
【００３７】
本発明の携帯電話は、図４に示すように、アンテナ４７を含む無線部４１、マイク４２、スピーカ４３、状態管理部４４、画面表示部４５、ＰＴＴ１キー３１およびＰＴＴ２キー３２を含む操作キー４６、制御部４８とを含んで構成される。
【００３８】
無線部４１は、サーバと無線通信を行い、少なくとも、ＰｏＣ通話または後再生処理を実行するための制御信号、ＰｏＣ通話用音声データまたは後再生用メッセージなどの音データを送受信する。上記の制御信号のデータ形式を、図６に示す。この制御信号は、V（制御信号のデータ形式のバージョン番号）、P（パディングの有無）、Subtype（制御信号種別）、PT（パケットタイプ）、Length（パケットのサイズ）、SSRC（パケット発信者情報）、Name（ＰｏＣ１の固定値）、Application-dependent data（Subtypeで指定する種別毎に用途が異なるフィールド）から構成される。特に、制御信号は、Subtypeに割り当てられた数値によりその制御信号の種別（発言権取得要求通知、発言権取得成功通知、発言権取得失敗通知、発言権放棄通知、発言権未付与通知、発言権付与済通知などに、それぞれ０、１、２、３、４、５の数値が割り当てられる）が区別される。
【００３９】
マイク４２は、当該携帯電話ユーザの発話を収音し、それをデジタル信号に変換して制御部４８に出力する。スピーカ４３は、制御部４８から入力する音データをアナログ信号に変換して出力する。状態管理部４４は、制御部４８から入力する制御信号に基づいて、自携帯電話に発言権が付与されているか否か、現在の発話がＰｏＣ通話中であること、または現在の発話が後再生用メッセージの作成のためのものであること、などを画面表示部４５に表示させたり、ＰＴＴ１キー３１およびＰＴＴ２キー３２による入力操作を受け付けて、マイク４２により収音した音声をＰｏＣ通話処理または後再生処理のいずれかで行う指示を制御部４８に出力する。制御部４８は、下記の処理を行う。
【００４０】
（Ａ１）制御部４８は、ＰＴＴ１キー３１の押下を受け付けた状態管理部４４から、ＰｏＣ通話を行う指示を受け付けると、サーバに対して発言権を付与するよう要求する発言権取得要求通知を送信するよう無線部４１を制御する。
（Ａ２）制御部４８は、発言権を付与したことを通知するための発言権取得成功通知を無線部４１により受信すると、ＰｏＣ通話処理を開始する。このとき、制御部４８は、携帯電話ユーザによる図３のＰＴＴ１キー３１の押下・解放に応じて、ＰｏＣ通話における発話・受話の処理を切り替える。
（Ａ３）制御部４８は、（Ａ１）の後、発言権を付与できないことを通知するための発言権取得失敗通知を無線部４１により受信すると、自携帯電話に発言権が付与されないことを画面表示部４５に表示するよう状態管理部４４を制御する。さらに、ＰＴＴ２キー３２の押下により、後再生メッセージの録音開始する処理を受け付けたことを状態管理部４４から通知されると、ＰＴＴ２キー３２が押下されている期間に入力される音声データを無線部４１により送信するよう制御する。
【００４１】
なお、本発明の携帯電話に、近年の携帯電話が有する各種機能を設けることもでき、特に、ＰｏＣ機能に加えて電話機能を付加する構成としても構わない。
【００４２】
本発明のサーバ２０は、図５に示すように、発言権管理情報受信部５１、発言権管理情報送信部５２、発言権ステータス記憶バッファ５３、発言権管理部５４、音声データ受信部５５、音声データ送信部５６、ＰｏＣ通話管理部５７、受信メッセージ蓄積部５８、メッセージ蓄積バッファ５９、蓄積メッセージ取得部６０、メッセージ管理部６１、とを含んで構成される。なお、図５では、発言権管理情報受信部５１、発言権管理情報送信部５２、発言権管理部５４、発言権ステータス記憶バッファ５３は携帯電話に付与するあるいは携帯電話から放棄される発言権について管理を行うため、これらをまとめて発言権処理部とし、受信メッセージ蓄積部５８、メッセージ蓄積バッファ５９、蓄積メッセージ取得部６０、メッセージ管理部６１は携帯電話から受信するあるいは携帯電話に送信する後再生用メッセージに関する処理を行うため、これらをまとめてメッセージ処理部として、まとめている。
【００４３】
発言権管理情報受信部５１は、本発明の携帯電話と無線通信を行い、ＰｏＣ通話または後再生処理を実行するための制御信号を受信する。発言権管理情報送信部５２は、本発明の携帯電話と無線通信を行い、ＰｏＣ通話または後再生処理を実行するための制御信号を送信する。発言権ステータス記憶バッファ５３は、「発言権付与済」や「発言権未付与」という発言権のステータスを記憶する。発言権管理部５４は、下記の４つの処理を繰り返す。
【００４４】
（Ｂ１）発言権管理部５４は、発言権ステータス記憶バッファ５３に記憶されている発言権のステータスが「発言権未付与」である期間中に、携帯電話から発言権を付与するよう要求する発言権取得要求通知を発言権管理情報受信部５１により受信すると、その携帯電話に発言権を付与したことを通知するための発言権取得成功通知を送信するよう発言権管理情報送信部５２を制御し、発言権のステータスを「発言権付与済」に更新するよう発言権ステータス記憶バッファ５３を制御する。さらに、ＰｏＣ通話管理部５７に、当該携
帯電話に発言権を付与したことを通知する。
（Ｂ２）発言権管理部５４は、発言権ステータス記憶バッファ５３に記憶されている発言権のステータスが「発言権付与済」である期間中に、別の携帯電話（制御信号のSSRCにより、発言権を付与した携帯電話と、発言権を付与していない別の携帯電話と、を識別できる）から発言権を付与するよう要求する発言権取得要求通知を発言権管理情報受信部５１により受信すると、発言権を付与できないことを通知するための発言権取得失敗通知を当該別の携帯電話に送信するよう発言権管理情報送信部５２を制御する。さらに、当該別の携帯電話から受信する音声データを後再生用メッセージとして録音する指示をメッセージ管理部６１に通知する。
（Ｂ３）発言権管理部５４は、発言権を付与していた携帯電話から発言権を放棄することを通知する発言権放棄通知を発言権管理情報受信部５１により受信すると、発言権を付与している携帯電話が無いことを通知するための発言権未付与通知をメッセージ管理部６１に通知する。（Ｂ２）において別の携帯電話からの後再生用メッセージを録音する指示をメッセージ管理部６１に通知していれば、当該別の携帯電話に発言権を付与することを通知する発言権取得成功通知をメッセージ管理部６１に通知する。
（Ｂ４）発言権管理部５４は、メッセージ管理部６１が後再生用メッセージを再生した後、（Ｂ３）において発言権を付与した携帯電話から発言権を放棄することを通知する発言権放棄通知をメッセージ管理部６１から受け付けると、発言権ステータス記憶バッファ５３に記憶されている発言権のステータスを「発言権未付与」に更新する。
【００４５】
また、音声データ受信部５５は、本発明の携帯電話から、ＰｏＣ通話用音声データまたは後再生用メッセージの音データを受信する。音声データ送信部５６は、音声データ受信部５５により受信したＰｏＣ通話用音声データまたは後再生用メッセージの音データを、別の携帯電話に送信する。なお、音声データ送信部５６は、ＰｏＣ通話中には、音声データ受信部５５により受信した音声データを直接、別の携帯電話に送信する。
【００４６】
ＰｏＣ通話管理部５７は、発言権管理部５４から特定の携帯電話に発言権を付与したことを通知されると、その携帯電話からのＰｏＣ通話用音声データを音声データ受信部５５に受信させ、ＰｏＣ通話を行うよう制御する。
【００４７】
また、受信メッセージ蓄積部５８は、音声データ受信部５５により受信した音声データを後再生用メッセージとしてメッセージ蓄積バッファ５９に記憶させる。メッセージ蓄積バッファ５９は、後再生用メッセージを記憶する。蓄積メッセージ取得部６０は、メッセージ蓄積バッファ５９から後再生用メッセージを読み出し、音声データ送信部５６に送信させる。メッセージ管理部６１は、ＰｏＣ通話中に下記の３つの処理を繰り返す。
【００４８】
（Ｃ１）メッセージ管理部６１は、ＰｏＣ通話中に、発言権を付与されていない携帯電話から受信する音声データを後再生用メッセージとして録音する指示を発言権管理部５４から受け付けると、当該携帯電話から音声データ受信部５５により受信する音声データと、当該携帯電話を識別する識別情報と、対応付けて記憶するよう受信メッセージ蓄積部５８を制御する。
（Ｃ２）メッセージ管理部６１は、発言権を付与している携帯電話が無いことを通知するための発言権未付与通知を通知発言権管理部５４から通知されると、前述の識別情報により識別される携帯電話に発言権を付与することを要求する発言権取得要求通知を発言権管理部５４に通知する。当該携帯電話に発言権を付与したことを通知する発言権取得成功通知を発言権管理部５４から受け付けると、メッセージ蓄積バッファ５９から読み出した後再生用メッセージを、当該携帯電話以外の携帯電話に対して、音声データ送信部５６に送信させるよう蓄積メッセージ取得部６０を制御する。
（Ｃ３）メッセージ管理部６１は、後再生用メッセージを送信したことを蓄積メッセージ取得部６０から通知されると、（Ｃ２）において発言権を付与した携帯電話から発言権を放棄することを通知する発言権放棄通知を発言権管理部５４に通知する。
【００４９】
次に、本発明の第１実施形態の通話システム全体の処理の流れを、図７に示す本発明の第１実施形態の通話システムにおけるサーバのフローチャートを参照して説明する。
【００５０】
携帯電話Ｂ１０ｂは、携帯電話ＢユーザからＰｏＣ通話を行う指示を受け付けると、サーバ２０に対して発言権を付与するよう要求する発言権取得要求通知を送信する（Ａ１の処理に該当）。一方、サーバ２０は、携帯電話Ｂ１０ｂからその発言権取得要求通知を受信すると（ステップＳ７０１、Ｙｅｓ）、発言権のステータスが「発言権未付与」であるため（ステップＳ７０２、Ｎｏ）、その携帯電話Ｂ１０ｂに発言権を付与するための発言権取得成功通知を送信し（ステップＳ７０３）、発言権のステータスを「発言権付与済」に更新する（Ｂ１の処理に該当）。サーバ２０は、その発言権取得成功通知を送信すると、ＰｏＣ通話処理を開始する（ステップＳ７０４）。その後、サーバ２０は、携帯電話Ｂ１０ｂのユーザが図３のＰＴＴ１キー３１の押下している間、携帯電話Ｂ１０ｂのユーザの発話を携帯電話Ａ１０ａに送信し続け、携帯電話Ｂ１０ｂのユーザがＰＴＴ１キー３１を解放すると、携帯電話Ｂ１０ｂから発言権放棄通知を受信することになる（ステップＳ７０６。Ａ２の処理に該当）。また、サーバ２０は、携帯電話Ｂ１０ｂのユーザの発話を携帯電話Ａ１０ａに送信している間も（ステップＳ７０５、Ｎｏ）、携帯電話Ａユーザからの発言権取得要求通知を受信する（ステップＳ７０１）。
【００５１】
一方、サーバ２０は、携帯電話Ｂ１０ｂに発言権を付与している期間に（ステップＳ７０２、Ｙｅｓ）、携帯電話Ａ１０ａから発言権取得要求通知を受信すると、発言権を付与できないことを通知するための発言権取得失敗通知を送信する（ステップＳ７０７）。その後、サーバ２０は、後再生用メッセージを携帯電話Ａ１０ａから受信すると（ステップＳ７０８、Ｙｅｓ。Ａ３、Ｂ２の処理に該当）、後再生用メッセージを録音する（ステップＳ７０９。Ｃ１の処理に該当）。
【００５２】
その後、サーバ２０は、携帯電話Ｂ１０ｂから発言権放棄通知を受信すると（ステップＳ７１０）、録音処理を行った携帯電話Ａ１０ａに発言権を付与し（ステップＳ７１２。ここで、携帯電話Ａ１０ａに対して発言権取得成功通知を送信して実際に発言権を付与しても良いし、実際には携帯電話Ａ１０ａに発言権を付与せずに、サーバ２０内のみで携帯電話Ａ１０ａに発言権を付与したとみなす仮想的な処理を行うようにしてもよい）、後再生用メッセージを録音した携帯電話以外の携帯電話に対して、当該後再生用メッセージを送信する（ステップＳ７１３。Ｂ３、Ｃ２の処理に該当）。
【００５３】
サーバ２０は、後再生用メッセージを送信し終えると、携帯電話Ａ１０ａに付与した発言権を放棄し（ステップＳ７１４）、発言権のステータスを「発言権未付与」に更新する（Ｂ４、Ｃ３の処理に該当）。なお、ユーザＡが、後再生用メッセージを複数録音している場合も考えられるが、そのときは、ステップＳ７１４の処理後、後再生用メッセージの有無を判別し（ステップＳ７１１）、有れば（ステップＳ７１１、Ｙｅｓ）、ステップＳ７１２〜７１４の処理を繰り返すようにしても良い。なお、ステップＳ７１２〜７１４の処理を繰り返す際には、録音した後再生用メッセージのうちの古いものから、順次処理を行うことが好ましい。
【００５４】
以上、本発明の第１実施形態の通話システムによれば、発言権が携帯電話に付与されていても、いなくても、携帯電話ユーザは発話することができるため、すなわち、自携帯電話に発言権が付与されている期間は、発言権が付与されていない他携帯電話に対して発話し、自携帯電話に発言権が付与されていない期間は、一旦、発話内容をサーバに録音させておき、発言権を付与された携帯電話がその発言権を放棄した後に、録音しておいた発話内容を他携帯電話に対して再生するため、ＰｏＣ通話に参加するユーザが所望のタイミングで発話することができる。
【００５５】
また、本発明の第１実施形態の通話システムは、図２に示すように、ＰｏＣ通話による発話のために発言権の取得を要求した携帯電話１０ａが、発言権の取得に失敗した後、後再生用メッセージをサーバ２０に送信するものである。つまり、サーバ２０は、従来のＰｏＣ通話処理の制御信号として用いていた発言権取得成功通知および発言権取得失敗通知を判別条件として利用することにより、発言権の取得に成功した携帯電話から送信される音声データをＰｏＣ通話による発話のための音声データとして、発言権の取得に失敗した携帯電話から送信される音声データを後再生用メッセージを録音するための音声データとして特定している。このため、本発明の第１実施形態の通話システムを、従来のＰｏＣ通話に用いていた制御信号をそのまま利用して実現することができるので、携帯電話の機能およびサーバの機能の追加・変更を抑えることができる。
【００５６】
なお、本発明の第１実施形態の通話システムでは、後再生用メッセージを録音した携帯電話以外の携帯電話に対して、当該後再生用メッセージを送信する（ステップＳ７１３。Ｂ３、Ｃ２の処理に該当）と述べたが、後再生用メッセージを録音した携帯電話にも当該後再生用メッセージを送信しても良い。これにより、後再生用メッセージを録音し終えたユーザがまだセッション参加中（ＰｏＣ通話中）にある場合、録音した後再生用メッセージが他の携帯電話に送信されたタイミングを把握することができる。
【００５７】
（第２実施形態）
第１実施形態では、ＰｏＣ通話を行うユーザが２人の場合について説明したが、一度のＰｏＣ通話に参加するユーザの人数が増えた場合でも、図８の本発明の第２実施形態の通話システムにおけるシーケンスの概要に示すように、発言権を付与されなかった各携帯電話毎（携帯電話Ａ、Ｂ毎に、発言権取得要求および発言権取得失敗をステップＳ２４、Ｓ８１およびステップＳ２６、Ｓ８２の処理で行っている）に後再生用メッセージを録音し（ステップＳ２７からステップＳ２８にかけての点線で囲まれた期間、ステップＳ８３からステップＳ８４にかけての点線で囲まれた期間、それぞれの音声を録音）、発言権を付与された携帯電話がその発言権を放棄後（ステップＳ３０）、録音したそれぞれの後再生用メッセージを再生することにより（ステップＳ８５）、後再生処理を行うことができる。が、後再生用メッセージを録音することができる条件を設けることにより、あるいは、ＰｏＣ通話による発話を行う携帯電話と録音した後再生用メッセージを再生する携帯電話とに発言権を適切に付与して発話することにより、ＰｏＣ通話をさらに円滑に行うことも可能である。第２実施形態では、ＰｏＣ通話に参加するユーザの数が増えた場合にでも、ＰｏＣ通話処理と後再生処理とをさらに円滑に行うことができる通話システムについて説明する。なお、第１実施形態と符号番号が同じなものは、第１実施形態で説明したものと共通である。
【００５８】
本発明の第２実施形態の通話システム全体の処理の流れを、図９に示す本発明の第２実施形態の通話システムにおけるサーバのフローチャートを参照して説明する。なお、図７のフローチャートとステップ番号が同じなものは、第１実施形態で説明した処理と共通の処理であるため、説明を省略する。
【００５９】
図９のサーバのフローチャートでは、ステップＳ９０１〜９０３の処理を新たに追加している。  まず、ステップＳ９０１の処理は、後再生用メッセージを所定の個数を越えて録音させないためのものである。ステップＳ７０７の処理において、発言権を付与できないことを通知するための発言権取得失敗通知を携帯電話Ａ１０ａに送信した後、録音した後再生用メッセージの個数が所定の個数以下であれば（ステップＳ９０１、Ｙｅｓ）、携帯電話Ａ１０ａから受信した後再生用メッセージを録音し（ステップＳ７０９）、録音した後再生用メッセージの個数が所定の個数よりも多ければ（ステップＳ９０１、Ｎｏ）、後再生用メッセージの録音処理を行わず、ステップＳ７１０の処理に進む。ステップＳ９０１の処理は、図５の構成図におけるメッセージ管理部６１によって行われる（Ｃ１の処理に機能を追加したものに相当。Ｃ１’と称する）。
【００６０】
（Ｃ１’）メッセージ管理部６１は、ＰｏＣ通話中に、発言権を付与されていない携帯電話から受信する音声データを後再生用メッセージとして録音する指示を発言権管理部５４から受け付けると、メッセージ蓄積バッファ５９が記憶している後再生用メッセージの個数を蓄積メッセージ取得部６０により読み出させ、その個数に応じて、当該携帯電話から音声データ受信部５５により受信する音声データと、当該携帯電話を識別する識別情報を記憶するよう受信メッセージ蓄積部５８を制御する。
【００６１】
メッセージ管理部６１のＣ１’の処理を利用すれば、単にサーバに録音可能な後再生用メッセージの個数を設定するだけでなく、上述の識別情報から特定される携帯電話毎に、録音可能な後再生用メッセージの個数を設定することができる。このため、例えば、ある携帯電話（複数の携帯電話であっても構わない）によるＰｏＣ通話による発話終了後に後再生用メッセージを再生する場合に、複数の後再生用メッセージの再生が延々と続くことによってＰｏＣ通話による新規の発話を妨げることを防止することができる。なお、録音可能な後再生用メッセージの個数は、一度のＰｏＣ通話に参加しているユーザの人数に応じて、あるいは、ある携帯電話による発話継続時間に応じて、可変するようにしても良い。
【００６２】
また、ステップＳ９０２、９０３の処理は、１件の後再生用メッセージの再生後に別のの後再生用メッセージの再生を連続して行わず、所定の時間が経過するまで、ＰｏＣ通話による発話を行うための発言権取得要求を優先的に受け付けるものである。すなわち、上述のステップＳ９０１の処理では、録音可能な後再生用メッセージの個数を制限することにより、複数の後再生用メッセージの再生が継続することを防止したが、ステップＳ９０２、９０３の処理は、１件の後再生用メッセージの再生後にＰｏＣ通話による発話を優先する時間を設けることにより、複数の後再生用メッセージの再生が継続することを防止する。
【００６３】
ステップＳ７１４の処理において、サーバ２０が、１件の後再生用メッセージを送信し終えて、携帯電話Ａ１０ａに付与した発言権を放棄すると、ＰｏＣ通話に参加しているユーザの携帯電話から、ＰｏＣ通話による発話を行うための発言権取得要求通知の有無を判定し（ステップＳ９０２）、発言権取得要求通知があれば（ステップＳ９０２、Ｙｅｓ）、ステップＳ７０３の処理に移行する。一方、発言権取得要求通知がなければ（ステップＳ９０２、Ｎｏ）、ステップＳ７１４の処理後から所定の時間が経過しているか否かを判定し（ステップＳ９０３）、経過していると判定すれば（ステップＳ９０３、Ｙｅｓ）、ステップＳ７１１の処理に移行し、経過していないと判定すれば（ステップＳ９０３、Ｎｏ）、ステップＳ９０２の処理に移行する。ステップＳ９０２、９０３の処理は、図５の構成図における発言権管理部５４（Ｂ４の後の処理。Ｂ５、Ｂ６と称する。Ｂ５はＢ１の処理と類似し、Ｂ６はＢ３の処理と類似する）およびメッセージ管理部６１（Ｃ２の処理に機能を追加したものに相当。Ｃ２’と称する）によって行われる。
【００６４】
（Ｂ５）発言権管理部５４は、（Ｂ４）において発言権放棄通知をメッセージ管理部６１から受け付けた後、所定の時間が経過するまでの期間中に、携帯電話から発言権を付与するよう要求する発言権取得要求通知を発言権管理情報受信部５１により受信すると、その携帯電話に発言権を付与したことを通知するための発言権取得成功通知を送信するよう発言権管理情報送信部５２を制御し、発言権のステータスを「発言権付与済」に更新するよう発言権ステータス記憶バッファ５３を制御する。さらに、ＰｏＣ通話管理部５７に、当該携帯電話に発言権を付与したことを通知する。以後、発言権管理部５４は、（Ｂ２）〜（Ｂ４）記載の管理を行う。
（Ｂ６）発言権管理部５４は、（Ｂ４）において発言権放棄通知をメッセージ管理部６１から受け付けた後、発言権取得要求通知を受信しないまま所定の時間が経過したとき、発言権を付与している携帯電話が無いことを通知するための発言権未付与通知をメッセージ管理部６１に通知する。（Ｂ２）においてある携帯電話に後再生用メッセージを録音する指示をメッセージ管理部６１に通知していれば、当該携帯電話に発言権を付与することを通知する発言権取得成功通知をメッセージ管理部６１に通知する。以後、発言権管理部５４は、（Ｂ４）記載の管理を行う。
【００６５】
（Ｃ２’）メッセージ管理部６１は、発言権を付与している携帯電話が無いことを通知するための発言権未付与通知を通知発言権管理部５４から通知されると、メッセージ蓄積バッファ５９に記憶した識別情報のうち、まだ再生していない後再生用メッセージ（録音した後再生用メッセージのうちの古いものから、順次選択することが好ましい）に対応する識別情報により識別される携帯電話に発言権を付与することを要求する発言権取得要求通知を発言権管理部５４に通知する。当該携帯電話に発言権を付与したことを通知する発言権取得成功通知を発言権管理部５４から受け付けると、メッセージ蓄積バッファ５９から読み出した後再生用メッセージを、当該携帯電話以外の携帯電話に対して、音声データ送信部５６に送信させるよう蓄積メッセージ取得部６０を制御する。以後、メッセージ管理部６１は、（Ｃ３）記載の管理を行う。
【００６６】
発言権管理部５４のＢ５、Ｂ６の処理を利用すれば、１件の後再生用メッセージの再生後にＰｏＣ通話による発話を優先する時間を設けることができる。このため、例えば、ある携帯電話によるＰｏＣ通話による発話終了後に後再生用メッセージを再生する場合に、複数の後再生用メッセージの再生が延々と続くことによってＰｏＣ通話による新規の発話を妨げることを防止することができる。なお、上述の所定の時間は、一度のＰｏＣ通話に参加しているユーザの人数に応じて、あるいは、携帯電話のユーザによる発話継続時間に応じて、可変するようにしても良い。
【００６７】
（第３実施形態）
本発明の第１、２実施形態の通話システムは、サーバ２０が、従来のＰｏＣ通話処理の制御信号として用いていた発言権取得成功通知および発言権取得失敗通知を判別条件として利用することにより、発言権の取得に成功した携帯電話から送信される音声データをＰｏＣ通話による発話のための音声データとして、発言権の取得に失敗した携帯電話から送信される音声データを後再生用メッセージを録音するための音声データとして特定している。本発明の第３実施形態の通話システムでは、新たに設定した制御信号を判別条件として利用することにより、携帯電話から送信される音声データをＰｏＣ通話による発話のための音声データあるいは後再生用メッセージを録音するための音声データとして特定する実施形態について説明する。
【００６８】
図１０に、本発明の第３実施形態の通話システムにおけるシーケンスの概要の１例を示す。図１０のシーケンスは、図２に示す本発明の実施の形態の通話システムにおけるシーケンスの概要のステップＳ２４とＳ２６の処理が異なる（図１０のステップＳ１００１とＳ１００２が変更した処理に該当。ステップＳ２４、Ｓ２６以外の処理は、共通であるため、説明を省略する）。
【００６９】
携帯電話Ｂ１０ｂからＰｏＣ通話開始を受け付けた携帯電話Ａ１０ａは、ユーザＢに対して発話を行う操作（専用のボタンを押下する）をユーザＡから受け付けると、サーバ２０に対して後再生用メッセージを送信することを要求する（ステップＳ１００１）。このときも、サーバ２０は、現在の発言権のステータスを判定する（ステップＳ２５）。サーバ２０は、発言権のステータスが「発言権付与済」である期間中に、携帯電話Ａ１０ａから後再生用メッセージを送信することを要求されると、後再生用メッセージの送信を許可するための信号を携帯電話Ａ１０ａに送信する（ステップＳ１００２）。携帯電話Ａ１０ａは、後再生用メッセージを送信することを許可されると、ユーザＢが発言権を放棄した後に再生するための発話内容をユーザＡから受け付け、その発話内容の音声をサーバに送信する（ステップＳ２７からステップＳ２８にかけての点線で囲まれた期間、ユーザＡは発話し続けるものとする）。すなわち、携帯電話Ａ１０ａは、実際に発言権が付与されるか否かによらず、携帯電話Ｂの発言権放棄後に再生するための発話を行うことを選択している。
【００７０】
また、図１１に、本発明の第３実施形態の通話システムにおけるシーケンスの概要の他例を示す。図１１のシーケンスは、図１０に示す本発明の第３実施形態の通話システムにおけるシーケンスの概要とは、携帯電話Ｂ１０ｂが発言権を取得していない点が異なる。図１１のシーケンスのように、携帯電話Ａ１０ａは、実際に発言権が付与されるか否かによらず、別の携帯電話の発言権放棄後に再生するための発話を行うことを選択するようになると、どの携帯電話にも発言権を付与していないときに後再生用メッセージを送信することを要求する場合も想定される。このような場合の通話システムにおけるシーケンスの概要について説明する。
【００７１】
携帯電話Ａ１０ａは、サーバ２０に対して後再生用メッセージを送信することを要求する（ステップＳ１００１）。サーバ２０は、現在の発言権のステータスを判定する（ステップＳ２５）。サーバ２０は、発言権のステータスが「発言権未付与」である期間中に、携帯電話Ａ１０ａから後再生用メッセージを送信することを要求されると、携帯電話Ｂ１０ｂに発言権を付与するための信号を送信し（ステップＳ１１０１）、「発言権付与済」という発言権のステータスに更新する。携帯電話Ａ１０ａがサーバ２０から発言権の取得に成功すると、ユーザＡは発話を開始し、専用のボタンを押下している間は発話を続けることができる（なお、図１１では、ユーザあは、携帯電話Ａ１０ａに発言権を付与された後の、点線で囲まれた期間、発話し続けるものとする。
【００７２】
ユーザＡによる発話終了後、ユーザＡがＰｏＣ通話による発話を終了する操作（専用のボタンを解放する）を携帯電話Ａ１０ａにより行うと、携帯電話Ａ１０ａは、サーバ２０に対して発言権を放棄することを通知する（ステップＳ１１０２）。サーバ２０は、携帯電話Ａ１０ａから発言権を放棄することを通知されると、「発言権付与済」を「発言権未付与」という発言権のステータスに更新する。
【００７３】
図１１のシーケンスにより、ある携帯電話が、どの携帯電話にも発言権を付与していないときに後再生用メッセージを送信することをサーバに対して要求する場合にも、当該携帯電話に発言権が付与されることにより、ＰｏＣ通話による発話を行うことができる。以下、本発明の実施の形態の通話システムを構成する携帯電話およびサーバについて、その構成と処理内容をより詳細に説明する。
【００７４】
図１２に、本発明の第３実施形態の通話システムにおける携帯電話の構成図を示す。なお、本発明の第３実施形態の通話システムにおける携帯電話の外観は、第１実施形態と共通であるため説明を省略する。また、本発明の第３実施形態の通話システムにおける携帯電話およびサーバの構成において、第１実施形態と同一符号番号を割り当てた対象のものは、第１実施形態と同様の処理を行うため、説明を省略する。
【００７５】
本発明の携帯電話は、図１２に示すように、アンテナ４７を含む無線部４１、マイク４２、スピーカ４３、状態管理部４４、画面表示部４５、ＰＴＴ１キー３１およびＰＴＴ２キー３２を含む操作キー４６、制御部１２０１とを含んで構成される。本発明の携帯電話の構成は、第１実施形態の携帯電話における状態管理部４４が省かれた構成であるが、これは、ＰｏＣ通話要求あるいは後再生要求を操作キー４６により受け付けることにより、ＰｏＣ通話のための発話か後再生用メッセージの録音のための発話かを、携帯電話が判別する必要がなくなったためである。
【００７６】
制御部１２０１は、無線部４１により受信する制御信号に基づいて、自携帯電話に発言権が付与されているか否か、現在の発話がＰｏＣ通話中であること、または現在の発話が後再生用メッセージの作成のためのものであること、などを画面表示部４５に表示させたり、また、ＰＴＴ１キー３１およびＰＴＴ２キー３２による入力操作に基づいた制御信号を、無線部４１により送信させたり、マイク４２により収音した音声をＰｏＣ通話処理または後再生処理のいずれかで行うかを制御する。
【００７７】
上記の制御信号のデータ形式の１例としては、図６に示したデータ形式と共通であるが、Subtype（制御信号種別）のデータ内容が異なるものが挙げられる。このSubtypeは、第１実施形態で述べた制御信号の種別（発言権取得要求通知、発言権取得成功通知、発言権取得失敗通知、発言権放棄通知、発言権付与済通知、発言権未付与通知など）に加え、新たに「後再生要求通知」および「後再生許可通知」に対しても数値が割り当てられる（後再生要求通知、後再生許可通知に、例えば、７、８の数値を割り当てる）。制御信号は、このSubtypeに割り当てられた数値により、「後再生要求通知」および「後再生許可通知」を含む制御信号の種別が区別される。
【００７８】
また、上記の制御信号のデータ形式の他の例としては、図１３に示すものが挙げられる。この制御信号は、Application-dependent data（Subtypeで指定する種別毎に用途が異なるフィールド）に所定のコードを追加記載することにより、「後再生要求通知」および「後再生許可通知」を含む制御信号の種別が区別される。「後再生要求通知」は、図１３（ａ）に示す発言権取得要求通知（Subtype「０」が割り当てられた制御信号）のApplication-dependent dataに後再生要求用のコードを記載することにより、後再生要求通知であることが認識される。同様に、「後再生許可通知」は、図１３（ｂ）に示す発言権取得失敗通知（Subtype「２」が割り当てられた制御信号）のApplication-dependent dataに後再生許可用のコードを記載することにより、後再生許可通知であることが認識される。このデータ形式により、「後再生要求通知」および「後再生許可通知」を含む制御信号の種別が区別される。
【００７９】
制御部１２０１は、下記の５つの処理を行う。
（Ａ１）制御部１２０１は、ＰＴＴ１キー３１の押下により、ＰｏＣ通話を行う指示を受け付けると、サーバに対して発言権を付与するよう要求する発言権取得要求通知を送信するよう無線部４１を制御する（第１実施形態の携帯電話におけるＡ１の処理と共通の処理）。
（Ａ２）制御部１２０１は、発言権を付与したことを通知するための発言権取得成功通知を無線部４１により受信すると、ＰｏＣ通話処理を開始する。このとき、制御部１２０１は、携帯電話ユーザによる図３のＰＴＴ１キー３１の押下・解放に応じて、ＰｏＣ通話における発話・受話の処理を切り替える（第１実施形態の通話システムにおけるＡ１の処理と共通の処理）。
（Ａ３）制御部１２０１は、ＰＴＴ２キー３２の押下により、後再生用メッセージを録音する指示を受け付けると、サーバ２０に対して後再生用メッセージを送信することを要求する後再生要求通知を送信するよう無線部４１を制御する。
（Ａ４）制御部１２０１は、（Ａ３）の後、後再生用メッセージの送信を許可するための後再生許可通知を無線部４１により受信すると、自携帯電話に後再生用メッセージの録音が許可されたことを画面表示部４５に表示するよう制御する。さらに、ＰＴＴ２キー３２の押下により、後再生メッセージの録音開始する処理を受け付けけると、ＰＴＴ２キー３２が押下されている期間に入力される音声データを無線部４１により送信するよう制御する。
（Ａ５）制御部１２０１は、（Ａ３）の後、発言権を付与することを通知するための発言権取得成功通知を無線部４１により受信すると、自携帯電話に発言権が付与されたことを画面表示部４５に表示するよう制御する。さらに、ＰＴＴ２キー３２の押下・解放に応じて、ＰｏＣ通話における発話・受話の処理を切り替える。
【００８０】
なお、本発明の携帯電話に、近年の携帯電話が有する各種機能を設けることもでき、特に、ＰｏＣ機能に加えて電話機能を付加する構成としても構わない。
【００８１】
本発明のサーバ２０の構成は、図５と共通である。発言権管理部５４は、下記の５つの処理を繰り返す。なお、メッセージ管理部６１がＰｏＣ通話中に行う処理は、第１実施形態で述べたＣ１からＣ３の処理と共通である。
【００８２】
（Ｂ１）発言権管理部５４は、発言権ステータス記憶バッファ５３に記憶されている発言権のステータスが「発言権未付与」である期間中に、携帯電話から発言権を付与するよう要求する発言権取得要求通知を発言権管理情報受信部５１により受信すると、その携帯電話に発言権を付与したことを通知するための発言権取得成功通知を送信するよう発言権管理情報送信部５２を制御し、発言権のステータスを「発言権付与済」に更新するよう発言権ステータス記憶バッファ５３を制御する。さらに、ＰｏＣ通話管理部５７に、当該携帯電話に発言権を付与したことを通知する（第１実施形態のサーバにおけるＢ１の処理と共通の処理）。
（Ｂ２）発言権管理部５４は、発言権ステータス記憶バッファ５３に記憶されている発言権のステータスが「発言権付与済」である期間中に、別の携帯電話から後再生用メッセージを送信することを要求する後再生要求通知を発言権管理情報受信部５１により受信すると、後再生用メッセージの送信を許可するための後再生許可通知を当該別の携帯電話に送信するよう発言権管理情報送信部５２を制御する。さらに、当該別の携帯電話から受信する音声データを後再生用メッセージとして録音する指示をメッセージ管理部６１に通知する。
（Ｂ３）発言権管理部５４は、発言権を付与していた携帯電話から発言権を放棄することを通知する発言権放棄通知を発言権管理情報受信部５１により受信すると、発言権を付与している携帯電話が無いことを通知するための発言権未付与通知をメッセージ管理部６１に通知する。（Ｂ２）において別の携帯電話からの後再生用メッセージを録音する指示をメッセージ管理部６１に通知していれば、当該別の携帯電話に発言権を付与することを通知する発言権取得成功通知をメッセージ管理部６１に通知する（第１実施形態のサーバにおけるＢ３の処理と共通の処理）。
（Ｂ４）発言権管理部５４は、メッセージ管理部６１が後再生用メッセージを再生した後、（Ｂ３）において発言権を付与した携帯電話から発言権を放棄することを通知する発言権放棄通知をメッセージ管理部６１から受け付けると、発言権ステータス記憶バッファ５３に記憶されている発言権のステータスを「発言権未付与」に更新する（第１実施形態のサーバにおけるＢ４の処理と共通の処理）。
（Ｂ７）発言権管理部５４は、発言権ステータス記憶バッファ５３に記憶されている発言権のステータスが「発言権未付与」である期間中に、携帯電話から後再生用メッセージを送信することを要求する後再生要求通知を発言権管理情報受信部５１により受信すると、その携帯電話に発言権を付与したことを通知するための発言権取得成功通知を送信するよう発言権管理情報送信部５２を制御し、発言権のステータスを「発言権付与済」に更新するよう発言権ステータス記憶バッファ５３を制御する。さらに、ＰｏＣ通話管理部５７に、当該携帯電話に発言権を付与したことを通知する。
【００８３】
次に、本発明の第３実施形態の通話システム全体の処理の流れを、図１４に示す本発明の第３実施形態の通話システムにおけるサーバのフローチャートを参照して説明する。図１４のフローチャートの各処理において、図７のフローチャートと同一のステップ番号を割り当てたものは、第１実施形態と同様の処理であるため、説明を省略する。
【００８４】
携帯電話Ｂ１０ｂは、携帯電話ＢユーザからＰｏＣ通話を行う指示あるいは後再生処理を行う指示を受け付けると、サーバ２０に対して発言権を付与するよう要求する発言権取得要求通知あるいは後再生用メッセージを送信することを要求する後再生要求通知を送信する（Ａ１あるいはＡ３の処理に該当）。一方、サーバ２０は、携帯電話Ｂ１０ｂからその発言権取得要求通知を受信する（ステップＳ７０１、Ｙｅｓ）、あるいは、携帯電話Ｂ１０ｂからその後再生要求通知を受信すると（ステップＳ７０１、Ｎｏ。ステップＳ１４０１、Ｙｅｓ）、発言権のステータスが「発言権未付与」であるため（ステップＳ７０２、Ｎｏ）、その携帯電話Ｂ１０ｂに発言権を付与するための発言権取得成功通知を送信し（ステップＳ７０３）、発言権のステータスを「発言権付与済」に更新する（Ｂ１あるいはＢ７の処理に該当）。サーバ２０は、その発言権取得成功通知を送信すると、ＰｏＣ通話処理を開始する（ステップＳ７０４）。その後、サーバ２０は、携帯電話Ｂ１０ｂのユーザが図３のＰＴＴ１キー３１あるいはＰＴＴ２キー３２の押下している間、携帯電話Ｂ１０ｂのユーザの発話を携帯電話Ａ１０ａに送信し続け、携帯電話Ｂ１０ｂのユーザがＰＴＴ１キー３１を解放すると、携帯電話Ｂ１０ｂから発言権放棄通知を受信することになる（ステップＳ７０６。Ａ２あるいはＡ５の処理に該当）。また、サーバ２０は、携帯電話Ｂ１０ｂのユーザの発話を携帯電話Ａ１０ａに送信している間も（ステップＳ７０５、Ｎｏ）、携帯電話Ａユーザからの発言権取得要求通知を受信する（ステップＳ７０１）。
【００８５】
一方、サーバ２０は、携帯電話Ｂ１０ｂに発言権を付与している期間に（ステップＳ７０２、Ｙｅｓ）、携帯電話Ａ１０ａから発言権取得要求通知あるいは後再生要求通知を受信すると、後再生用メッセージの送信を許可するための後再生許可通知を送信する（ステップＳ１４０２）。その後、サーバ２０は、後再生用メッセージを携帯電話Ａ１０ａから受信すると（ステップＳ７０８、Ｙｅｓ。Ａ４、Ｂ２の処理に該当）、後再生用メッセージを録音する（ステップＳ７０９。Ｃ１の処理に該当）。
【００８６】
第３実施形態では、ＰｏＣ通話を行うユーザが２人の場合について説明したが、一度のＰｏＣ通話に参加するユーザの人数が増えた場合でも、図１５の本発明の第３実施形態の通話システムにおけるシーケンスの概要の別例に示すように、発言権を付与されなかった各携帯電話毎（携帯電話Ａ、Ｂ毎に、後再生要求および後再生許可をステップＳ１００１、Ｓ１５０１およびステップＳ１００２、Ｓ１５０２の処理で行っている）に後再生用メッセージを録音し（ステップＳ２７からステップＳ２８にかけての点線で囲まれた期間、ステップＳ１５０３からステップＳ１５０４にかけての点線で囲まれた期間、それぞれの音声を録音）、発言権を付与された携帯電話がその発言権を放棄後（ステップＳ３０）、録音したそれぞれの後再生用メッセージを再生することにより（ステップＳ１５０５）、後再生処理を行うことができる。
【００８７】
なお、本発明の第３実施形態の通話システムの処理と、本発明の第２実施形態の通話システムの処理と、を組み合わせることも可能である。すなわち、発言権管理部５４、メッセージ管理部６１の処理に、次の処理を追加する。
【００８８】
（Ｂ５）発言権管理部５４は、（Ｂ４）において発言権放棄通知をメッセージ管理部６１から受け付けた後、所定の時間が経過するまでの期間中に、携帯電話から発言権を付与するよう要求する発言権取得要求通知を発言権管理情報受信部５１により受信すると、その携帯電話に発言権を付与したことを通知するための発言権取得成功通知を送信するよう発言権管理情報送信部５２を制御し、発言権のステータスを「発言権付与済」に更新するよう発言権ステータス記憶バッファ５３を制御する。さらに、ＰｏＣ通話管理部５７に、当該携帯電話に発言権を付与したことを通知する。以後、発言権管理部５４は、（Ｂ２）〜（Ｂ４）、（Ｂ７）記載の管理を行う。
（Ｂ６）発言権管理部５４は、（Ｂ４）において発言権放棄通知をメッセージ管理部６１から受け付けた後、発言権取得要求通知を受信しないまま所定の時間が経過したとき、発言権を付与している携帯電話が無いことを通知するための発言権未付与通知をメッセージ管理部６１に通知する。（Ｂ２）においてある携帯電話に後再生用メッセージを録音する指示をメッセージ管理部６１に通知していれば、当該携帯電話に発言権を付与することを通知する発言権取得成功通知をメッセージ管理部６１に通知する。以後、発言権管理部５４は、（Ｂ４）記載の管理を行う。
【００８９】
（Ｃ２’）メッセージ管理部６１は、発言権を付与している携帯電話が無いことを通知するための発言権未付与通知を通知発言権管理部５４から通知されると、メッセージ蓄積バッファ５９に記憶した識別情報のうち、まだ再生していない後再生用メッセージ（録音した後再生用メッセージのうちの古いものから、順次選択することが好ましい）に対応する識別情報により識別される携帯電話に発言権を付与することを要求する発言権取得要求通知を発言権管理部５４に通知する。当該携帯電話に発言権を付与したことを通知する発言権取得成功通知を発言権管理部５４から受け付けると、メッセージ蓄積バッファ５９から読み出した後再生用メッセージを、当該携帯電話以外の携帯電話に対して、音声データ送信部５６に送信させるよう蓄積メッセージ取得部６０を制御する。以後、メッセージ管理部６１は、（Ｃ３）記載の管理を行う。
【００９０】
以上、本発明の第３実施形態の通話システムによれば、発言権が携帯電話に付与されていても、いなくても、携帯電話ユーザは発話することができるため、すなわち、自携帯電話に発言権が付与されている期間は、発言権が付与されていない他携帯電話に対して発話し、自携帯電話に発言権が付与されていない期間は、一旦、発話内容をサーバに録音させておき、発言権を付与された携帯電話がその発言権を放棄した後に、録音しておいた発話内容を他携帯電話に対して再生するため、ＰｏＣ通話に参加するユーザが所望のタイミングで発話することができる。
【００９１】
また、本発明の第１実施形態の通話システムは、図１０、図１１に示すように、新たに設定した制御信号を判別条件として利用することにより、携帯電話から送信される音声データをＰｏＣ通話による発話のための音声データあるいは後再生用メッセージを録音するための音声データとして特定する。このため、携帯電話ユーザは、現在の発言権のステータスを発話する度に確認しなくても、携帯電話が自動的にＰｏＣ通話による発話、あるいは後再生用メッセージを録音するための発話、を自動で切り替えることができるため、ＰｏＣ通話処理および後再生処理の利便性が向上する。
【００９２】
本発明を詳細にまた特定の実施態様を参照して説明したが、本発明の精神と範囲を逸脱することなく様々な変更や修正を加えることができることは当業者にとって明らかである。
【００９３】
本出願は、2005年7月13日出願の日本特許出願（特願2005−204584）に基づくものであり、その内容はここに参照として取り込まれる。
【産業上の利用可能性】
【００９４】
本発明の電話端末、サーバ、その電話端末とそのサーバとから成る通話システム、および通話方法によれば、ＰｏＣ通話に参加するユーザが所望のタイミングで発話することができるという効果を奏し、ＰｏＣ通話を行う電話端末、そのＰｏＣ通話に利用されるサーバ、および、その電話端末とそのサーバにより構成される通話システムに関する分野において有用である。
【図面の簡単な説明】
【００９５】
【図１】本発明の実施の形態の通話システムの概念図
【図２】本発明の実施の形態の通話システムにおけるシーケンスの概要
【図３】本発明の第１実施形態の通話システムにおける携帯電話の外観図（ａ）とディスプレイの表示例（ｂ）
【図４】本発明の第１実施形態の通話システムにおける携帯電話の構成図
【図５】本発明の第１実施形態の通話システムにおけるサーバの構成図
【図６】制御信号のデータ形式
【図７】本発明の第１実施形態の通話システムにおけるサーバのフローチャート
【図８】本発明の第２実施形態の通話システムにおけるシーケンスの概要
【図９】本発明の第２実施形態の通話システムにおけるサーバのフローチャート
【図１０】本発明の第３実施形態の通話システムにおけるシーケンスの概要の１例
【図１１】本発明の第３実施形態の通話システムにおけるシーケンスの概要の他例
【図１２】本発明の第３実施形態の通話システムにおける携帯電話の構成図
【図１３】制御信号のデータ形式の他の例
【図１４】本発明の第３実施形態の通話システムにおけるサーバのフローチャート
【図１５】本発明の第３実施形態の通話システムにおけるシーケンスの概要の別例
【図１６】従来の携帯電話とサーバとにより構成されるシステムにおけるシーケンスの１例
【図１７】従来の携帯電話とサーバとにより構成されるシステムにおけるシーケンスの他の例
【符号の説明】
【００９６】
１０ａ、１０ｂ  携帯電話
２０  サーバ
３１  ＰＴＴ１キー
３２  ＰＴＴ２キー
３３  ディスプレイ
３４  ユーザのステータス
３５  発言権のステータス
４１  無線部
４２  マイク
４３  スピーカ
４４  状態管理部
４５  画面表示部
４６  操作キー
４７  アンテナ
４８、１２０１  制御部
５１  発言権管理情報受信部
５２  発言権管理情報送信部
５３  発言権ステータス記憶バッファ
５４  発言権管理部
５５  音声データ受信部
５６  音声データ送信部
５７  ＰｏＣ通話管理部
５８  受信メッセージ蓄積部
５９  メッセージ蓄積バッファ
６０  蓄積メッセージ取得部
６１  メッセージ管理部
【手続補正３】
【補正対象書類名】図面
【補正対象項目名】全図
【補正方法】変更
【補正の内容】
【図１】
2007007806.tif 000019
【図２】
2007007806.tif 000020
【図３】
2007007806.tif 000021
【図４】
2007007806.tif 000022
【図５】
2007007806.tif 000023
【図６】
2007007806.tif 000024
【図７】
2007007806.tif 000025
【図８】
2007007806.tif 000026
【図９】
2007007806.tif 000027
【図１０】
2007007806.tif 000028
【図１１】
2007007806.tif 000029
【図１２】
2007007806.tif 000030
【図１３】
2007007806.tif 000031
【図１４】
2007007806.tif 000032
【図１５】
2007007806.tif 000033
【図１６】
2007007806.tif 000034
【図１７】
2007007806.tif 000035
【国際調査報告】
2007007806.tif 000036
2007007806.tif 000037
2007007806.tif 000038